(57)【要約】【課題】座標データやイラスト図上の指定位置と色調コードとを関連付けて、簡易に画面表示用のデータベースを構築でき、かつ、構築したデータベースを用いて多様なサービスを提供することができる画面表示制御方法を提供すること。【解決手段】表示端末に表示される画像情報が格納される表示画像レイヤーと、表示画像レイヤーの所定位置あるいは所定領域に対応する位置あるいは領域に配置される色調コードを表示端末には非表示とされる配置色調コードとして格納する色調コードレイヤーとを関連付けたデータベースを備えており、色調コードを媒介として、表示端末に表示される画像情報における所定位置あるいは所定領域に情報を関連付ける。簡易に表示端末に所定位置あるいは所定領域に関する情報を表示することができる。【選択図】図３
2017146493.tif 000002
【特許請求の範囲】
【請求項１】
表示端末に表示される画像表示の制御方法であって、
前記表示端末の表示制御に係るデータベースとして、前記表示端末に表示される画像情報が格納される表示画像レイヤーと、前記表示画像レイヤーの所定位置あるいは所定領域に対応する位置あるいは領域に配置される色調コードであって、前記表示端末には非表示とされる配置色調コードを格納する色調コードレイヤーとを備え、
前記色調コードレイヤーに配置されている前記配置色調コードを選択するステップと、
選択された前記配置色調コードに応じて前記表示端末に表示を行うステップとを有することを特徴とする画像表示の制御方法。
【請求項２】
前記表示端末に表示する特定情報を入力するステップと、
前記特定情報に対応する色調コードを抽出するステップと、
前記対応する色調コードが前記色調コードレイヤーに格納されているか否かの判断を行うステップとを有し、
前記選択のステップは、前記判断のステップにより前記対応する色調コードが格納されていると判断された場合、前記対応する色調コードの前記配置色調コードを選択することを特徴とする請求項１に記載の画像表示の制御方法。
【請求項３】
前記データベースは、前記所定位置あるいは前記所定領域ごとに色調コードが異なるエリア色調コードを割り当てる第１対応テーブルを更に備え、
前記入力のステップにおいて、前記特定情報はＧＰＳから得られる前記表示端末の現在位置であり、
前記抽出のステップは、前記第１対応テーブルより、前記現在位置が含まれる前記所定位置あるいは前記所定領域に割り当てられている前記エリア色調コードを前記対応する色調コードとして抽出し、
前記表示のステップは、前記配置色調コードに対応する前記所定位置あるいは前記所定領域を前記表示端末の現在位置として表示することを特徴とする請求項２に記載の画像表示の制御方法。
【請求項４】
前記データベースは、前記所定位置あるいは前記所定領域ごとに色調コードが異なるエリア色調コードを割り当てる第１対応テーブルを更に備え、
前記入力のステップにおいて、前記特定情報は前記表示端末の現在位置を示す近距離無線通信機から発せられる識別情報であり、
前記抽出のステップは、前記第１対応テーブルより、前記識別情報に関連付けられる前記所定位置あるいは前記所定領域に割り当てられている前記エリア色調コードを前記対応する色調コードとして抽出し、
前記表示のステップは、前記配置色調コードに対応する前記所定位置あるいは前記所定領域を前記表示端末の現在位置として表示することを特徴とする請求項２に記載の画像表示の制御方法。
【請求項５】
前記データベースは、表示対象物ごとに色調コードが異なる対象物色調コードを割り当てる第２対応テーブルを更に備え、
前記入力のステップにおいて、前記特定情報は前記表示対象物であり、
前記抽出のステップは、前記第２対応テーブルより、前記表示対象物に割り当てられている前記対象物色調コードを前記対応する色調コードとして抽出し、
前記表示のステップは、前記配置色調コードに対応する前記所定位置あるいは前記所定領域を前記表示対象物の位置として表示することを特徴とする請求項２に記載の画像表示の制御方法。
【請求項６】
前記データベースは、関連情報ごとに色調コードが異なる情報色調コードを割り当てる第３対応テーブルを更に備え、
前記関連情報を表示する前記所定位置あるいは前記所定領域を指定するステップを有し、
前記選択のステップは、前記指定のステップにより指定された前記所定位置あるいは前記所定領域に対応する前記配置色調コードを選択し、
更に、前記選択のステップにより選択された前記配置色調コードと同コードの前記情報色調コードが前記第３対応テーブルにあるか否かの判断を行うステップを有し、
前記表示のステップは、前記判断のステップにより同コードの前記情報色調コードがあると判断された場合、前記配置色調コードに対応する前記関連情報を前記表示端末に表示することを特徴とする請求項１に記載の画像表示の制御方法。
【請求項７】
表示される画像情報が格納される表示画像レイヤーと、
前記表示画像レイヤーの所定位置あるいは所定領域に対応する位置あるいは領域に配置される色調コードであって、非表示とされる配置色調コードを格納する色調コードレイヤーとを備えることを特徴とする画像表示端末。
【請求項８】
前記色調コードレイヤーは、前記所定位置あるいは所定領域ごとに色調コードが異なることを特徴とする請求項７に記載の画像表示端末。
【請求項９】
前記色調コードレイヤーは、前記表示画像レイヤーに格納されている画像情報の表示対象物ごとに色調コードが異なることを特徴とする請求項７または８に記載の画像表示端末。
【請求項１０】
前記色調コードレイヤーは、関連情報ごとに色調コードが異なることを特徴とする請求項７乃至９の何れか１項に記載の画像表示端末。
【発明の詳細な説明】
【技術分野】
【０００１】
本発明は、表示画面を構成する画素の色調コードに情報を関連付け、色調コードで情報を制御する画面表示制御方法に関する。
【背景技術】
【０００２】
従来から地物／設備の位置形状情報とその属性情報とを関連付けて管理できる地図設備図面情報管理システムを構築する方法が、例えば、特許文献１に開示されている。すなわち、地物／設備の位置形状に関する情報を全てベクトル化して管理していた従来のシステムに対して、特許文献１では地図や設備図面等から得たデジタルイメージデータと代表座標点の座標データにより地物／設備の位置形状に関する情報を管理するイメージ化方式により管理し、かつ検索を容易にすることができるとしている。
【先行技術文献】
【特許文献】
【０００３】
【特許文献１】特開平６−２７４１０２号公報
【発明の開示】
【発明が解決しようとする課題】
【０００４】
特許文献１に開示された地図設備図面情報管理システムは、地図や設備図面等から得たデジタルイメージデータに対して、個々に代表座標点の座標データを入力するものである。そのため、デジタルイメージデータ毎に座標データを算出して入力する必要があり、座標データの入力作業が煩雑であるという問題がある。
【０００５】
本発明は前記従来の問題点を解消するためになされたものであり、座標データやイラスト図上の指定位置と色調コード（本発明では「制御色」と言う）とを関連付けて、簡易に画面表示用のデータベースを構築でき、かつ、構築したデータベースを用いて多様なサービスを提供することができる画像表示の制御方法、および画像表示端末を提供することを目的とする。
【課題を解決するための手段】
【０００６】
前記目的を達成するため請求項１に係る画像表示の制御方法は、表示端末に表示される画像表示の制御方法であって、表示端末の表示制御に係るデータベースとして、表示端末に表示される画像情報が格納される表示画像レイヤーと、表示画像レイヤーの所定位置あるいは所定領域に対応する位置あるいは領域に配置される色調コードであって、表示端末には非表示とされる配置色調コードを格納する色調コードレイヤーとを備え、色調コードレイヤーに配置されている配置色調コードを選択するステップと、選択された配置色調コードに応じて表示端末に表示を行うステップとを有することを特徴とする。
【０００７】
請求項２に係る画像表示の制御方法は、請求項１に記載の画像表示の制御方法であって、表示端末に表示する特定情報を入力するステップと、特定情報に対応する色調コードを抽出するステップと、対応する色調コードが色調コードレイヤーに格納されているか否かの判断を行うステップとを有し、選択のステップは、判断のステップにより対応する色調コードが格納されていると判断された場合、対応する色調コードの配置色調コードを選択することを特徴とする。
【０００８】
請求項３に係る画像表示の制御方法は、請求項２に記載の画像表示の制御方法であって、データベースは、所定位置あるいは所定領域ごとに色調コードが異なるエリア色調コードを割り当てる第１対応テーブルを更に備え、入力のステップにおいて、特定情報はＧＰＳから得られる表示端末の現在位置であり、抽出のステップは、第１対応テーブルより、現在位置が含まれる所定位置あるいは所定領域に割り当てられているエリア色調コードを対応する色調コードとして抽出し、表示のステップは、配置色調コードに対応する所定位置あるいは所定領域を表示端末の現在位置として表示することを特徴とする。
【０００９】
請求項４に係る画像表示の制御方法は、請求項２に記載の画像表示の制御方法であって、データベースは、所定位置あるいは所定領域ごとに色調コードが異なるエリア色調コードを割り当てる第１対応テーブルを更に備え、入力のステップにおいて、特定情報は表示端末の現在位置を示す近距離無線通信機から発せられる識別情報であり、抽出のステップは、第１対応テーブルより、識別情報に関連付けられる所定位置あるいは所定領域に割り当てられているエリア色調コードを対応する色調コードとして抽出し、表示のステップは、配置色調コードに対応する所定位置あるいは所定領域を表示端末の現在位置として表示することを特徴とする。
【００１０】
請求項５に係る画像表示の制御方法は、請求項２に記載の画像表示の制御方法であって、データベースは、表示対象物ごとに色調コードが異なる対象物色調コードを割り当てる第２対応テーブルを更に備え、入力のステップにおいて、特定情報は表示対象物であり、抽出のステップは、第２対応テーブルより、表示対象物に割り当てられている対象物色調コードを対応する色調コードとして抽出し、表示のステップは、配置色調コードに対応する所定位置あるいは所定領域を表示対象物の位置として表示することを特徴とする。
【００１１】
請求項６に係る画像表示の制御方法は、請求項１に記載の画像表示の制御方法であって、データベースは、関連情報ごとに色調コードが異なる情報色調コードを割り当てる第３対応テーブルを更に備え、関連情報を表示する所定位置あるいは所定領域を指定するステップを有し、選択のステップは、指定のステップにより指定された所定位置あるいは所定領域に対応する配置色調コードを選択し、更に、選択のステップにより選択された配置色調コードと同コードの情報色調コードが第３対応テーブルにあるか否かの判断を行うステップを有し、表示のステップは、判断のステップにより同コードの情報色調コードがあると判断された場合、配置色調コードに対応する関連情報を表示端末に表示することを特徴とする。
【００１２】
請求項７に係る画像表示端末は、表示される画像情報が格納される表示画像レイヤーと、表示画像レイヤーの所定位置あるいは所定領域に対応する位置あるいは領域に配置される色調コードであって、非表示とされる配置色調コードを格納する色調コードレイヤーとを備えることを特徴とする。
【００１３】
請求項８に係る画像表示端末は、請求項７に記載の画像表示端末であって、色調コードレイヤーは、所定位置あるいは所定領域ごとに色調コードが異なることを特徴とする。
【００１４】
請求項９に係る画像表示端末は、請求項７または８に記載の画像表示端末であって、色調コードレイヤーは、表示画像レイヤーに格納されている画像情報の表示対象物ごとに色調コードが異なることを特徴とする。
【００１５】
請求項１０に係る画像表示端末は、請求項７乃至９の何れか１項に記載の画像表示端末であって、色調コードレイヤーは、関連情報ごとに色調コードが異なることを特徴とする。
【発明の効果】
【００１６】
請求項１に係る画像表示の制御方法では、表示端末に表示される画像情報が格納される表示画像レイヤーと、表示画像レイヤーの所定位置あるいは所定領域に対応する位置あるいは領域に配置される色調コードであって、表示端末には非表示とされる配置色調コードを格納する色調コードレイヤーとをデータベースとして備え、色調コードレイヤーに配置されている配置色調コードを選択するステップと、選択された配置色調コードに応じて表示端末に表示を行うステップを備えることにより、従来技術のような座標データの代わりに表示端末に非表示の色調コードを用いて、表示画像に対応する所定位置あるいは所定領域を特定することができる。これにより、表示画像の所定位置あるいは所定領域に属性を持たせるデータベースを簡易に構築することができる。そのため、様々な情報を色調コードに関連付けすることにより、色調コードに応じて、簡易に様々な情報を表示端末に表示することができる。
【００１７】
また、請求項７に係る画像表示端末では、表示端末に表示される画像情報が格納される表示画像レイヤーと、表示画像レイヤーの所定位置あるいは所定領域に対応する位置あるいは領域に配置される色調コードであって、表示端末には非表示とされる配置色調コードを格納する色調コードレイヤーとをデータベースとして備える。これにより、請求項１に係る画像表示の制御方法と同様に、表示画像の所定位置あるいは所定領域に属性を持たせるデータベースを簡易に構築することができる。そのため、様々な情報を色調コードに関連付けすることにより、色調コードに応じて、簡易に様々な情報を表示端末に表示することができる。
【００１８】
請求項２に係る画像表示の制御方法では、表示端末に表示する特定情報を入力するステップと、特定情報に対応する色調コードを抽出するステップとを備える。そして、対応する色調コードが色調コードレイヤーに格納されているか否かの判断し、対応する色調コードが格納されていると判断された場合、対応する色調コードの配置色調コードを選択する。例えば、入力された特定情報に対応する色調コードが色調コードレイヤーに格納されている場合、対応する色調コードの配置色調コードが選択されて、特定情報に関連する情報を表示端末の画像表示と共にあるいは画像表示に代えて表示することができる。
【００１９】
請求項３に係る画像表示の制御方法では、所定位置あるいは所定領域ごとに色調コードが異なるエリア色調コードを割り当てる第１対応テーブルを更にデータベースに備える。すなわち、色調コードレイヤーに所定位置あるいは所定領域ごとに異なるコードのエリア色調コードを配置色調コードとして格納する。そして、ユーザが操作する表示端末のＧＰＳ機能を用いてユーザの現在位置の緯度経度情報を受信すると、第１対応テーブルから現在位置が含まれる所定位置あるいは所定領域に割り当てられているエリア色調コードを検索する。検索されたエリア色調コードが色調コードレイヤーにあれば、ユーザの現在位置を表示端末に表示することができる。簡易に、表示端末のＧＰＳ機能を用いて現在位置を表示することができる。
【００２０】
請求項４に係る画像表示の制御方法では、表示端末の現在位置を示す近距離無線通信機（例えばビーコン）から発せられる識別情報を所定位置あるいは所定領域ごとに色調コードが異なるエリア色調コードを割り当てる第１対応テーブルを更にデータベースに備える。そして、ユーザが操作する表示端末の受信機能を用いて近距離無線通信機からの識別情報を受信する。第１対応テーブルから受信した識別情報が割り当てられたエリア色調コードを検索し、該当されたエリア色調コードが色調コードレイヤーにあれば、ユーザの現在位置を表示端末に表示することができる。簡易に、表示端末の受信機能を用いて現在位置を表示することができる。
【００２１】
請求項５に係る画像表示の制御方法では、表示対象物ごとに色調コードが異なる対象物色調コードを割り当てる対応テーブルを更にデータベースに備える。
例えば、表示端末に表示される画像情報が地図情報である場合、予め、空港や温泉など表示対象物ごとに色調コードが異なる対象物色調コードを割り当てる第２対応テーブルを備えたデータベースを利用すれば、表示末端を操作するユーザが任意の表示対象物、例えば、「空港」を選択すると第２対応テーブルで対応する色調コードが選択され、色調コードレイヤーに配置された当該色調コードを「空港」の位置として表示端末に表示することができる。
【００２２】
請求項６に係る画像表示の制御方法では、関連情報ごとに色調コードが異なる情報色調コードを割り当てる第３対応テーブルを更にデータベースに備える。色調コードレイヤーは、関連情報を表示する所定位置あるいは所定領域ごとに異なる色調コードの配置色調コードを格納しているため、所定位置あるいは所定領域を指定すると、指定された所定位置あるいは所定領域に対応する配置色調コードを抽出する。抽出された配置色調コードと同コードの情報色調コードがあれば、第３対応テーブルにより、同コードに対応する関連情報を選択して、表示端末に表示することができる。このような構成を有することにより、例えば、地図情報では、空港や温泉（所定位置あるいは所定領域）などを指定すると、指定した空港や温泉などに関連する例えば詳細な説明などの関連情報を簡易な操作で表示端末に表示することができる。
【００２３】
請求項８に係る画像表示端末では、請求項７に記載の画像表示端末において、色調コードレイヤーは、所定位置あるいは所定領域ごとに色調コードが異なる。これにより、所定位置あるいは所定領域を色調コードを媒介として識別することができる。また、請求項９に係る画像表示端末では、請求項７または８に記載の画像表示端末において、色調コードレイヤーは、表示画像レイヤーに格納されている画像情報の表示対象物ごとに色調コードが異なる。これにより、表示される表示対象物を色調コードを媒介として識別することができる。また、請求項１０に係る画像表示端末では、請求項７乃至９の何れか１項に記載の画像表示端末において、色調コードレイヤーは、関連情報ごとに色調コードが異なる。これにより、所定位置あるいは所定領域ごとに色調コードを媒介して関連情報を関連付けることができる。
【００２４】
本願に係る画像表示の制御方法、および画像表示端末では、表示端末には非表示の色調コードを媒介として地図やイラスト地図など所定位置あるいは所定領域と情報との関連付を行うので、表示端末への情報の表示を簡易に行うことができる。例えば、緯度経度などで指定される実空間での座標位置を、実空間とは縮尺や形状などが無関係な任意の縮尺・形状を有するイラスト図に表示することができる。また、イラスト図の対象物を選択すれば対象物に関連する関連情報などを表示することができる。
【図面の簡単な説明】
【００２５】
【図１】本発明の実施形態に係るデータベース構築システムの全体構成図である。
【図２】本発明の第１の実施形態に係るデータベース構築を説明する図（その１）である。
【図３】本発明の第１の実施形態に係るデータベース構築を説明する図（その２）である。
【図４】図２および図３で示した制御色データベースを入力した端末において端末の表示部（モニタ）と制御色データベース（制御色レイヤー）の関係を示した図である。
【図５】本発明の第１の実施形態に係る端末の操作例を示した図である。
【図６】図２および図３で示した制御色データベースを構築する手順を示した図である。
【図７】図５で示した本発明の第１の実施形態に係る端末の操作例の操作手順を示した図である。
【図８】本発明の第２の実施形態に係るデータベース構築を説明する図である。
【図９】図８で示した制御色データベースを入力した端末において端末の表示部（モニタ）と制御色データベース（制御色レイヤー）の関係を示した図である。
【図１０】図８で示した制御色データベースを構築する手順を示した図である。
【図１１】図９で示した本発明の第２の実施形態に係る端末の操作例の操作手順を示した図である。
【図１２】本発明の第３の実施形態に係るデータベース構築を説明する図である。
【図１３】本発明の第３の実施形態に係る端末の操作例を示した図（その１）である。
【図１４】本発明の第３の実施形態に係る端末の操作例を示した図（その２）である。
【図１５】図１２で示した制御色データベースを構築する手順を示した図である。
【図１６】図１３および図１４で示した本発明の第３の実施形態に係る端末の操作例の操作手順を示した図である。
【発明を実施するための形態】
【００２６】
以下、本発明に係る実施形態について図面を参照して説明する。
まず、本実施形態に係るデータベース構築システムの構成について図１を参照して説明する。
【００２７】
図１は、本発明の実施形態に係るデータベース構築システムの全体構成を示す図である。地図や設備などの図面１６０をデジタル化手段１７０によりデジタルデータに変換する。デジタル化手段１７０は、例えば、スキャナーやデジタルカメラなどを採用することができる。図面１６０がデジタルデータである場合は、デジタル化手段１７０は必要ない。図面１６０の媒体に合わせて適宜デジタル化手段１７０を選択して利用すればよい。
【００２８】
デジタル化手段１７０によってデジタルデータに変換した図面１６０のデジタルデータはデータベース構築部１８０に入力されて内部のメモリに保存される。そして、データベース構築部１８０内のモニタやキーボード、マウス、タッチパネルなどを用いて、図面１６０のデータベースを構築する。ここで、データベース構築部１８０は、データベースをユーザに提供する情報提供者が有する。情報提供者とは、行政機関、観光業者、施設運営者などであり、それぞれの領域で情報発信したい地図や設備などをユーザに提供する主体である。
【００２９】
構築したデータベースはユーザが使用する端末１９０（例えば、タブレット型ＰＣやスマートフォンなど）に入力（ダウンロード）し、端末１９０を用いて、以下に説明する図面１６０のデータベースを用いた様々なサービスをユーザに提供することができるのである。データベースを構築する方法の詳細については、以下の実施例で説明するので省略する。
【００３０】
次に、上記データベース構築システムを用いた第１の実施例について図２から図７を参照して説明する。
【００３１】
第１の実施例は地図をデータベース化してユーザに種々のサービスを提供する。以下、説明では四国の地図を用いて説明するが、四国の地図は一実施例であって、これに限定されるものではなく、他の地域、例えば北海道や東北、関東など国内の地図であってもよいし、米国や中国など海外の地図であってもよい。
【００３２】
まず、図２および図３、図６を参照してデータベースの構築方法について説明する。図２および図３はデータベース構築を説明する図であり、図６はデータベース構築者が行う手順のフローを説明する図である。
【００３３】
ステップＳ１００では、データベース構築部１８０にユーザが用いる端末１９０の情報を入力する。ここで、入力する情報は端末１９０のモニタの画素サイズ（○△ピクセル×□▲ピクセル）や階調（ＲＧＢ又はグレースケール）などである。より具体的には、画素サイズ例：４８０ピクセル×２４０ピクセル、階調例：グレースケール（１６階調）など端末１９０のモニタの仕様を入力する。
【００３４】
ステップＳ１０２では、データベースを構築する地図を選択する。データベース構築部１８０内のメモリには、上記のように様々な地図のデジタルデータが保存されている。そこで、データベース構築部１８０内のモニタやキーボードなどを用いてデータベースを構築する地図を選択する。尚、本実施例では四国地図を選択する。もし、四国地図の情報が存在していない場合や足りない情報などがある場合はステップＳ１０４において、デジタル化手段１７０により図面１６０をデジタル化し、あるいはデジタルデータである図面１６０を入手する。
【００３５】
ステップＳ１０６では、データベース構築部１８０内のモニタに四国地図１００と第１制御色パレット１２０が表示される（図２参照）。第１制御色パレット１２０には、「空港」や「ホテル」、「温泉」などの分類名と共に分類名毎に異なる色調の制御色が配置されている。ここで、制御色とは、地図上の対象物である分類を識別するために分類ごとに固有の色調コードで定義された識別子である。分類ごとに地図上に存在する位置に対応してピクセル単位で定義されるものである。分類ごとに地図上の位置を定義し、更には分類ごとの情報を関連付けるための識別子としての役割を有するものであり、ユーザの端末１９０に表示される色調情報とは別途定義され、端末１９０には色調情報として表示されるものではない。
【００３６】
ステップ１０８では、第１制御色パレット１２０から分類名（制御色）を選択する。選択する方法は、図２の図中の（１）に示すように矢印カーソルをマウスまたはキーボードで選択する分類名の制御色の位置に移動させてマウスをクリックするか、キーボードのリターンキーを押すなどして選択する。選択する方法はこれに限定するものではなく、タッチパネルを用いて、選択する分類名の制御色の位置を直接タップして選択してもよい。
【００３７】
ステップＳ１１０では、モニタに表示されている四国地図１００に対してステップＳ１０８で選択した分類名に関連付ける位置（ポイント）を指定する。例えば、図２の図中の（１）で「空港」の制御色が指定された場合には、図２の図中の（２）で四国地図１００にある「空港」の位置を指定していく。これにより、四国地図１００における「空港」の位置に対応するピクセルに「空港」として定義される制御色が配置される。指定する方法は、ステップ１０８の分類名の選択時と同様、図２の図中の（２）に示すように矢印カーソルをマウスまたはキーボードで指定してマウスをクリックするか、キーボードのリターンキーを押すなどして指定する。ステップＳ１０８と同様、タッチパネルを用いて指定してもよい。
【００３８】
ステップＳ１１２で、四国地図１００についてデータ入力が終了したら（Ｙ）、ステップＳ１１４に進む。終了していない場合（Ｎ）はステップＳ１０８に戻り、分類名（制御色）の選択と四国地図１００上の位置の指定とを続ける。
【００３９】
ステップ１１４では、データベース入力を終了するか否かを判断する。例えば、四国地図１００のみで終了する場合（Ｙ）は、データベース入力が終了してデータベース構築が終了し、構築したデータベースはデータベース構築部１８０内のメモリに保存される。他の地図についても四国地図１００と同様にデータベースを構築する場合（Ｎ）は、ステップＳ１０４に戻って他の地図を選択して、四国地図１００の場合と同様にデータベースを構築する。
【００４０】
上記の方法で構築した四国地図１００のデータベースの一例を四国地図データベース１５０として図６の左側に示す。例えば、「空港」が位置するポイントには＃１００の色調コードが定義される。高知空港、松山空港など、データベース構築者が「空港」として指定する位置に＃１００の色調コードが定義される。同様に、「温泉」が位置するポイントには＃１２０の色調コードが定義される。塩江温泉、道後温泉など、データベース構築者が「温泉」として指定する位置に＃１２０の色調コードが定義される。ここで、＃１００や＃１２０は色調コードを簡略して示したものである。本来の色調コードでは、例えば、ＲＧＢの３原色が各々８ビットで構成される場合、２４ビットの色調コードで識別されることとなる。この場合、総数で１６００万（２の２４乗）通りの識別が可能である。尚、本実施例では、＃１００や＃１２０の色調コードと制御色とは同意として扱う。そして、上記のように、各ピクセルに制御色を定義して制御色レイヤー（本実施例では第１制御色レイヤー１１０）が作成される。
【００４１】
図３は上記の操作で構築したデータベースの一例を示した第１制御色レイヤー１１０である。第１制御色レイヤー１１０は、上記ステップＳ１００で入力した端末１９０のモニタの画素サイズ（縦ピクセル数×横ピクセル数）に合わせて、縦と横とを格子状に区画されたピクセル毎に制御色が定義される。ここで、ピクセルは端末１９０を構成するモニタの１つの画素を示す。便宜上、図３に示すように、第１制御色レイヤー１１０の最左上のピクセルをＰｉｘ（０，０）とし、最右下のピクセルをＰｉｘ（ｎ（Ｍａｘ．），ｍ（Ｍａｘ．））として座標表記することにする。そして、任意のピクセルをＰｉｘ（ｎ，ｍ）と座標表記する。ここで、ｎは横方向、ｍは縦方向の位置を示す。
【００４２】
図３に示すように、四国地図１００を参照して入力した「空港」や「ホテル」、「温泉」などの位置に相当するピクセルに各分類の制御色が定義される。このように各ピクセル（各画素）に制御色を定義することにより、簡易に地図上の情報（本実施例では、「空港」や「ホテル」、「温泉」などの位置）をデータベース化することができる。
【００４３】
図４は、端末１９０のモニタに表示される四国地図の白地図１３０と図３で示した第１制御色レイヤー１１０の関係を示したものである。端末１９０には、第１制御色レイヤー１１０が位置合わせして重ねられた白地図の四国地図１３０が表示される。端末１９０に表示されるのは、白地図の四国地図１３０であり第１制御色レイヤー１１０は非表示とされる。
【００４４】
次に、第１の実施例におけるユーザによる端末１９０への地図情報表示の操作手順について図５および図７を参照して説明する。図５は、第１の実施例における端末１９０のモニタに表示される四国地図の白地図１３０上に表示される情報の例を示した図であり、図７は端末１９０の操作手順のフローを示した図である。尚、図５および図７に示した操作は一例であり、これに限定されるものではなく、他の操作手順や操作方法を採用可能であることは言うまでもない。
【００４５】
ステップＳ１２０では、上記データベース構築部１８０で構築されたデータベースを入力する。端末１９０のモニタには図示しない選択画面が表示される。ステップ１２２では、端末１９０のモニタに表示された選択画面（不図示）から表示したい地図を選択する。本実施例では、「四国地図」を選択する。地図の選択が終了すると、ステップ１２４では、選択された地図、本実施例では四国地図の白地図１３０が図５の（Ａ）に例示するように端末１９０のモニタに表示される。そして、四国地図の白地図１３０の右下には分類名が列記されて表示される。
【００４６】
ステップＳ１２６では、端末１９０のモニタに表示された四国地図の白地図１３０において、表示したい分類名が表記されている部分に、マウスなどを操作して矢印カーソルを移動して、マウスのクリックボタンやキーボードなどを用いて指定する。本実施例では、図５の（Ａ）のように「空港」を指定する。
【００４７】
ステップＳ１２６で「空港」を指定すると、ステップＳ１２８では、第１制御色レイヤー１１０から、「空港」の色調コードである「＃１００」が定義されているピクセルの位置を検出する。
【００４８】
ステップＳ１３０では、ステップＳ１２８で検出した第１制御色レイヤー１１０のピクセル位置に対応する四国地図の白地図１３０の位置（端末１９０のモニタのピクセル位置）に図５の（Ａ）のようにピン表示する。四国地図の白地図１３０と第１制御色レイヤー１１０とは位置合わせがされているので、第１制御色レイヤー１１０を用いてユーザが知りたい情報を制御色で関連付けることにより、簡易に端末１９０のモニタに表示されている四国地図の白地図１３０に位置情報を表示制御できるのである。
【００４９】
ステップＳ１３２で、別の分類名をピン表示させたい場合（Ｙ）は、ステップＳ１３６に進み表示をリセットして、ステップＳ１２６に戻り、端末１９０のモニタに表示される矢印カーソルで別の分類名を指定する。別の分類名をピン表示しない場合は、ステップＳ１３４に進み、端末１９０の操作を終了するか判断する。操作を続ける場合（Ｎ）は、ステップＳ１３６に進み、端末１９０のモニタの表示がリセットされてピン表示などが消去され、ステップＳ１２６に戻る。端末１９０の操作を終了する場合（Ｙ）は、端末１９０の電源をＯＦＦにするなどして操作を終了する。
【００５０】
上記説明では、端末１９０のモニタに表示される矢印カーソルをマウスなどで操作して指定したが、端末１９０のモニタがタッチパネル機能を有していれば、タッチパネルで直接タップして上記の選択操作や指定操作を実施してもよい。
【００５１】
また、データベースの構築の際（図６）、分類ごとに特定の範囲の色調コードを有する制御色としながら同じ分類に属する個々の対象には異なる制御色を定義し、制御色ごとに固有の関連情報を関連付けるデータベースを構築することも可能である。これにより、分類ごとに白地図に情報表示できると共に、個々の対象ごとに固有の情報を表示することができる。例えば、指定した分類名（「空港」）に応じて、四国地図の白地図１３０に全ての「空港」の位置をピン表示しながら、特定のピン表示の１つを指定して、図５の（Ｂ）図中の（１）に示すように「空港」名「松山空港」を表示することができる。また、特定のピン表示の１つを指定した後に図５の（Ｂ）図中の（２）に示すように、他の分類名「温泉」を指定すると、指定したピン表示（実施例では「松山空港」）に一番近い「温泉」を表示することも可能である。つまり、操作方法や表示方法は、図５や図７のモニタ表示や操作フローに限定されるものではない。例えば、複数の分類名を指定してもよいし、ピン表示についても、ピン表示に限定されることなく、他の表示方法を採用してもよい。
【００５２】
また、説明表示についても、図５の（Ｂ）では、端末１９０のモニタに指定した分類の名称のみを表示したが、データベースに詳細な説明を予め保存してあれば、詳細説明を表示することも可能である。さらに、端末１９０にスピーカーを備えている場合は、端末１９０のモニタでの表示の代わりに音声で説明することも可能である。つまり、図３に示した第１制御色レイヤー１１０のように、各ピクセルに予め所定の情報と関連付けられた制御色を定義することにより、簡易に端末１９０のためのデータベースが構築することができると共に、制御色に対して、いろんな情報を関連付けておくことができることから、端末１９０を操作するユーザに対して様々なサービスを提供することができるのである。
【００５３】
尚、制御色に各種の情報を関連付ける際、制御色の配置されたピクセルの位置情報（座標）も利用することもできる。例えば、データベースの構築の際（図６）、分類ごとに特定の色調コードを有する制御色を第１制御色レイヤー１１０に配置し、合わせて、制御色が配置されるピクセルの位置情報（座標）に関連付けて関連情報を関連付けることもできる。これにより、同じ分類には同じ制御色を定義しながら、この分類に属する個々の対象には固有のピクセルの位置情報（座標）が関連付けられるので、個々の対象ごとに固有の関連情報を関連付けるデータベースを構築することも可能である。このデータベースによっても、上記の例示と同様に、「松山空港」の表示や「松山空港」に一番近い「温泉」の表示を行うことができる。
【００５４】
次に、本発明に係るデータベース構築システムを用いた第２の実施例について図８から図１１を参照して説明する。
【００５５】
第２の実施例は地図上の位置と制御色とを関連付けてデータベース化しておき、ユーザの所有する端末１９０のＧＰＳ機能を利用してユーザの現在位置に対応して、観光地での観光用のイラスト地図に対して情報を提供する。
【００５６】
まず、図８および図１０を参照してデータベースの構築方法について説明する。図８はデータベース構築を説明する図であり、図１０はその手順を説明するフロー図である。
【００５７】
ステップＳ２００では、第１の実施例と同様、データベース構築部１８０にユーザが用いる端末１９０の情報を入力する。詳細は既に上記で説明しているので、ここでは省略する。
【００５８】
ステップＳ２０２では、第１の実施例と同様、データベースを構築する地図を選択する。本実施例では、複数の神社が点在する観光地の実縮尺の道路地図２００を選択する。選択方法は第１の実施例と同様であるので、省略する。
【００５９】
ステップＳ２０４では、データベースを構築する道路地図２００のデジタルデータとデータベース構築部１８０内のモニタに表示される道路地図２００の最左上の点Ｐの緯度経度（緯度：□△、経度：○△）と最右下の点Ｑの緯度経度（緯度：△□、経度：×○）入力する（図８参照）。
【００６０】
ステップＳ２０６では、選択した道路地図２００と第２制御色パレット２２０が表示される（図８参照）。尚、第２制御色パレット２２０の色の配列は、ある基準に基づいて配置してもよいし、任意に配置してもよい。ユーザが操作しやすいように配置されていればよい。
【００６１】
ステップＳ２０８では、第２制御色パレット２２０から制御色を選択する。選択する方法は、第１の実施例と同様、図８の図中の（１）に示すように矢印カーソルをマウスまたはキーボードで選択する制御色の位置に移動させてマウスをクリックするか、キーボードのリターンキーを押すなどして選択する。
【００６２】
ステップＳ２１０では、モニタに表示されている道路地図２００に対してステップＳ２０８で選択した制御色に関連付ける位置（場所）を指定する（図８の図中の（２））。本実施例では、図８の道路地図２００の道路上のＡからＨの８つのポイントを指定するが、これら８つのポイントに限定するものではなく、さらに多くのポイントを設定してもよいし、道路以外のポイントを指定してもよい。指定方法は、第１の実施例と同様であるので、省略する。
【００６３】
ステップＳ２１０で各ポイント（ＡからＨ）を指定すると、ステップＳ２０４で入力したＰ点とＱ点の緯度経度の値から、道路地図２００上での各ポイントの緯度経度が算出され、図１０の右側に示した道路地図データベース２５０のように各ポイントの緯度経度を中心とした所定の円内（図８に示す点線の円内）にステップＳ２０８で指定した制御色（色調コード）が関連付けされる。図８に道路地図２００に関連付けられた座標制御色対応情報２０５を示す。座標制御色対応情報２０５は、緯度経度の座標上で道路地図２００に対応しており、ユーザの所有する端末１９０のＧＰＳ機能により測地される緯度経度を制御色に対応付けるものである。ここで、所定の円内とは、ユーザの現在位置が、略、各円の中心である各ポイントであることを示す領域を定義するものである。すなわち、ユーザの所有する端末１９０のＧＰＳ機能により測地される緯度経度情報が、この円内にあれば、ユーザの現在位置は、円の中心である各ポイントであると認識する。
【００６４】
なお、関連付けするデータは道路地図データベース２５０に記載した項目に限定されない。例えば、地名や各ポイントにおいて近くに目安となる郵便局や銀行、店舗などがあればそれらについても関連付けをしてデータベース内に保存してもよい。道路地図データベース２５０が構築されると、データベース構築部１８０内のメモリに保存される。
【００６５】
ステップＳ２１２で、道路地図２００のデータ入力が終了したら（Ｙ）、ステップＳ２１４に進む。終了していない場合（Ｎ）は、ステップＳ２０８に戻り、制御色の選択と道路地図２００上の位置の指定とを続ける。
【００６６】
ステップ２１４では、端末１９０のモニタに表示される道路イラスト図２３０に対応した第２制御色レイヤー２１０を作成する（図９）。図９には、道路イラスト図２３０に合わせて重ねられる第２制御色レイヤー２１０を示す。第２制御色レイヤー２１０は、第１の実施例の第１制御色レイヤー１１０と同様、ステップＳ２００で入力した端末（例えば、タブレット型ＰＣやスマートフォンなど）のモニタの画像サイズ（縦ピクセル数×横ピクセル数）に合わせて、縦と横とを格子状に区画されている。そして、道路イラスト図２３０上の各ポイント（Ａ〜Ｈ）に対応するピクセルに、道路地図データベース２５０に基づいて、各ポイント（Ａ〜Ｈ）に対応する制御色の色調コード（＃２００〜＃２７０）を配置して作成する。これにより、端末１９０のＧＰＳ機能により測地される緯度経度が、制御色を媒介として道路イラスト図２３０上の位置に関連付けられ、道路イラスト図２３０上でユーザの現在位置を確認することができる。作成した第２制御色レイヤー２１０はデータベース構築部１８０内のメモリに保存される。
【００６７】
ステップＳ２１４で第２制御色レイヤー２１０の作成が終了したら、ステップＳ２１６に進み、データベース入力を終了するか否かを判断する。例えば、道路地図２００のみで終了する場合（Ｙ）は、データベース入力が終了する。他の地図についても道路地図２００と同様にデータベースを構築する場合（Ｎ）は、ステップＳ２０２に戻って他の道路地図を選択して、道路地図２００の場合と同様にデータベースを構築する。
【００６８】
次に、第２の実施例におけるユーザによる端末１９０の操作手順について図９および図１１を参照して説明する。上記のように、図９は、第２の実施例における端末１９０のモニタに表示される道路地図２００の道路イラスト図２３０と第２制御色レイヤー２１０の関係を示した図であり、図１１は端末１９０の操作手順のフローを示した図である。尚、図９および図１１に示した操作は一例であり、これに限定されるものではなく、他の操作手順や操作方法を採用可能であることは言うまでもない。
【００６９】
ステップＳ２２０では、上記データベース構築部１８０で構築された道路地図データベース２５０および第２制御色レイヤー２１０を入力する。端末１９０のモニタには図示しない選択画面が表示される。ステップ２２２では、端末１９０のモニタに表示された選択画面から表示したいイラスト地図を選択する。本実施例では、「○△道路」の道路イラスト図２３０を選択する。イラスト地図の選択が終了すると、ステップ２２４では、選択された「○△道路」の道路地図２００に対応する道路イラスト図２３０が端末１９０のモニタに表示される。
【００７０】
ステップＳ２２６では、ユーザの所有する端末１９０のＧＰＳ機能により現在位置のＧＰＳ信号を受信する。ステップＳ２２８では、受信したＧＰＳ信号から現在位置の緯度経度を検出する。ステップＳ２３０では、道路地図データベース２５０を用いて、検出した緯度経度が何れかのポイント（Ａ〜Ｈ）を中心として指定されている所定の円内であるか否かが検出される。具体的には、図８に示すように、座標制御色対応情報２０５に基づいて、人工衛星２４０からのＧＰＳ信号による緯度経度に対応する制御色を検出する。検出した緯度経度が所定の円内であると検出されることに応じて、該円内に関連付けられた色調コードを検出する。所定の円内ではないと検出されると、関連付けられた色調コードがないので（Ｎ）、ステップＳ２２６に戻ってＧＰＳ信号を受信する。色調コードが検出できた場合（Ｙ）は、ステップＳ２３２で、検出した色調コードが配置されているピクセルを第２制御色レイヤー２１０から検出する。そして、ステップＳ２３４で、検出したピクセルに対応する道路イラスト図２３０の位置に現在位置を表示する（図９の多重円）。
【００７１】
現在位置の通知は、図９のように端末１９０のモニタに表示される道路イラスト図２３０に通知表示することに限定されない。例えば、端末１９０がスピーカー機能を有していれば、音声で通知することも可能である。
【００７２】
ステップＳ２３６で、操作を終了するかを判断する。他の道路地図を選択する場合（Ｎ）はステップＳ２３８に進み、端末１９０のモニタの表示をリセットしてステップＳ２２２に戻り、他の道路地図を選択する。端末１９０の操作を終了する場合（Ｙ）は、端末１９０の電源をＯＦＦにするなどして操作を終了する。
【００７３】
上記の第２制御色レイヤー２１０の例では、色調コードを各ポイントの中心位置のピクセルにのみ関連付けを実施したが、これに限定されない。例えば、データベースの構築（図１０）の際、座標制御色対応情報２０５において、各ポイントからの距離に応じて色調コードを順次変化させるデータベースを構築しておく。これに対応して、第２制御色レイヤー２１０において、座標制御色対応情報２０５で定義された色調コードに合わせて、道路イラスト図における各ポイントからの距離に応じて色調コードが順次変化する構成とすることもできる。これにより、現在位置を、より詳細に道路イラスト図２３０に表示することができる。
【００７４】
上記のように、ＧＰＳ信号から得られる緯度経度情報と色調コードとを関連付けた座標制御色対応情報２０５を準備し、更に、第２制御色レイヤー２１０を用いて色調コードと道路イラスト図との関連付を行うことにより、第２実施例に係るような端末１９０のＧＰＳ機能を用いたサービスが簡易にユーザに提供できるのである。すなわち、端末１９０を有するユーザの現在位置を、簡易に道路イラスト図２３０に表示することができる。緯度経度で指定される実空間での座標位置を、実空間とは縮尺や形状などが無関係である任意の縮尺・形状を有するイラスト図に表示することができる。
【００７５】
次に、本発明に係るデータベース構築システムを用いた第３の実施例について図１２から図１６を参照して説明する。
【００７６】
第３の実施例は博物館や水族館など展示館の館内イラストマップ地図をデータベース化し、展示館内のいろいろな位置に設置されているビーコン（所定のＩＤ信号を発信する近距離無線通信機）と端末１９０の受信機能を利用してユーザに種々のサービスを提供する。以下、説明では展示館の一例を用いて説明するが、本発明に係る第３の実施例は、これに限定されるものではなく、水族館や博物館などのその他の展示館やショッピングモールなどにおいても、以下に説明する方法や手順により実施可能である。
【００７７】
まず、図１２および図１５を参照してデータベースの構築方法について説明する。図１２の上図はデータベースの構築方法を説明する図であり、図１２の下図は構築したデータベースに基づいて作成した制御色レイヤー（第３制御色レイヤー３１０）を示す図である。図１５はそれらの手順を説明するフロー図である。
【００７８】
ステップＳ３００では、第１の実施例や第２の実施例と同様、データベース構築部１８０にユーザが用いる端末１９０の情報を入力する。詳細は既に上記で説明しているので、ここでは省略する。
【００７９】
ステップＳ３０２では、第１の実施例や第２の実施例と同様、データベースを構築する展示館のイラスト地図を選択する。上記で説明したように、データベース構築部１８０内のメモリには、様々な地図のデジタルデータが保存されている。そこで、データベース構築部１８０内のモニタやキーボードなどを用いてデータベースを構築するイラスト地図を選択する。尚、本実施例では、展示館の館内イラストマップ３００を選択する。もし、展示館の館内イラストマップ３００の情報が存在していない場合や足りない情報などがある場合はステップＳ３０４において、デジタル化手段１７０により図面１６０をデジタル化し、あるいはデジタルデータである図面１６０を入手する。
【００８０】
ステップＳ３０６では、データベース構築部１８０内のモニタに館内イラストマップ３００と第３制御色パレット３２０が表示される（図１２の上図参照）。尚、第３制御色パレット３２０の色の配列は、第２制御色パレット２２０と同様、ある基準に基づいて配置してもよいし、任意に配置してもよい。ユーザが操作しやすいように配置されていればよい。
【００８１】
ステップＳ３０８では、第３制御色パレット３２０から制御色を選択する。選択する方法は、第１の実施例や第２の実施例と同様、図１２の上図の図中の（１）に示すように矢印カーソルをマウスまたはキーボードで選択する制御色の位置に移動させてマウスをクリックするか、キーボードのリターンキーを押すなどして選択する。
【００８２】
ステップＳ３１０では、モニタに表示されている館内イラストマップ３００に対してステップＳ３０８で選択した制御色に関連付ける位置（場所）を領域指定する（図１２の上図の図中の（２））。本実施例では、図１２の館内イラストマップ３００内のＡからＨの８つの領域ポイント（通路（Ａ、Ｄ、Ｅ）、展示Ａ（Ｂ）、展示Ｂ（Ｃ）、カフェテリア（Ｆ）、トイレ（Ｇ）、エレベータ（Ｈ）など）を指定するが、これら８つの領域ポイントに限定するものではなく、さらに詳細に設定してもよい。指定方法は、第１の実施例や第２の実施例と同様であるので、省略する。
【００８３】
ステップＳ３１０で、各領域ポイント（ＡからＨ）を指定すると、図１５の左側に示した館内マップデータベース３５０のように各領域ポイント（ＡからＨ）に対して制御色（色調コード）が関連付けされる。指定した領域ポイントを示す場所にビーコンが設置されている場合は、各ビーコンが発信するＩＤ信号（△□、▲○、◇△など）を各領域ポイントに関連付けされた制御色に対して関連付けする（館内マップデータベース３５０参照）。
【００８４】
尚、関連付けするデータは館内マップデータベース３５０に記載した項目に限定されない。例えば、展示Ａ（Ｂ）や展示Ｂ（Ｃ）については、制御色に加えてその展示の説明を、また、カフェテリア（Ｆ）には、制御色に加えてメニュー内容などを関連付けしてデータベース内に保存してもよい。館内マップデータベース３５０が構築されると、データベース構築部１８０内のメモリに保存される。
【００８５】
ステップＳ３１２で、館内イラストマップ３００のデータ入力が終了したら（Ｙ）、ステップＳ３１４に進む。終了していない場合（Ｎ）は、ステップＳ３０８に戻り、制御色の選択と館内イラストマップ３００上の領域ポイントの指定、および関連情報との関連付けを続ける。
【００８６】
ステップ３１４では、端末１９０のモニタに表示される館内イラストマップ３００に対応した第３制御色レイヤー３１０を作成する（図１２の下図）。図１２の下図には、館内イラストマップ３００に合わせて重ねられる第３制御色レイヤー３１０を示す。第３制御色レイヤー３１０は、第１の実施例の第１制御色レイヤー１１０や第２の実施例の第２制御色レイヤー２１０と同様、ステップＳ３００で入力した端末１９０（例えば、タブレット型ＰＣやスマートフォンなど）のモニタの画像サイズ（縦ピクセル数×横ピクセル数）に合わせて、縦と横とを格子状に区画されている。そして、館内イラストマップ３００上の各領域ポイント（Ａ〜Ｈ）に対応するピクセルあるいはピクセル群に、館内マップデータベース３５０に基づいて、各領域ポイント（Ａ〜Ｈ）に対応する制御色の色調コード（＃３００〜＃３７０）を配置して作成する。ここで、後述する現在位置やトイレ等の位置などを表示するための色調コードについては、所望の位置を特定できればよいので、色調コードはピクセル単位に対応すればよい。また、各展示等の説明情報を表示する際に展示領域をタップするなどする場合には、展示領域に対応するピクセル群に色調コードを配置することが便宜である。タップにより対象となる色調コードを確実に拾うことができるからである。これにより、図１３の上図に示す展示館内実空間３３０の各ポイントが、制御色を媒介として館内イラストマップ３００上に関連付けられ、館内イラストマップ３００上でユーザの現在位置を確認したり、各ポイントの説明を見ることができる。作成した第３制御色レイヤー３１０はデータベース構築部１８０内のメモリに保存される。
【００８７】
ステップＳ３１４で第３制御色レイヤー３１０の作成が終了したら、ステップＳ３１６に進み、データベース入力を終了するか否かを判断する。例えば、館内イラストマップ３００のみで終了する場合（Ｙ）は、データベース入力が終了する。例えば、他の階の館内マップ図についても館内イラストマップ３００と同様にデータベースを構築する場合（Ｎ）は、ステップＳ３０２に戻って他の階の地図を選択して、館内イラストマップ３００の場合と同様にデータベースを構築する。
【００８８】
次に、第３の実施例における端末１９０の操作手順について図１３、図１４および図１６を参照して説明する。図１３および図１４は、第３の実施例における端末１９０の操作の一例を説明する図であり、図１６は端末１９０の操作手順のフローを示した図である。尚、図１３、図１４および図１６に示した操作は一例であり、これに限定されるものではなく、他の操作手順や操作方法を採用可能であることは言うまでもない。
【００８９】
ステップＳ３２０では、上記データベース構築部１８０で構築された館内マップデータベース３５０を入力する。端末１９０のモニタには図示しない選択画面が表示される。ステップ３２２では、端末１９０のモニタに表示された選択画面から表示したい展示館内実空間３３０に対応するイラスト地図を選択する。本実施例では、展示館内実空間３３０として「館内―１Ｆ」を選択する。イラスト地図の選択が終了すると、ステップ３２４では、選択された「館内―１Ｆ」の展示館内実空間３３０に対応する館内イラストマップ３００が端末１９０のモニタに表示される（図１３の下図参照）。
【００９０】
ステップＳ３２６では、館内の各通路（Ａ、Ｄ、Ｅ）にビーコンＢ（近距離無線通信機）を設置しておき、ビーコンＢからのＩＤ信号（♯△□、♯▲○、♯◇△）を受信可能な状態に端末１９０を設定する。ステップＳ３２８でビーコンＢからのＩＤ信号を受信したら（Ｙ）、ステップＳ３３０に進む。もし、受信できなかったら（Ｎ）、ステップＳ３２６に戻りビーコンＢからのＩＤ信号を受信可能な状態にして、ビーコンＢからのＩＤ信号の受信を待つ。
【００９１】
図１３の上図は「館内―１Ｆ」の展示館内実空間３３０を示す。図１３の上図に示すように、各通路（Ａ、Ｄ、Ｅ）にはビーコンＢが設置され、各々異なるＩＤ信号（♯△□、♯▲○、♯◇△）を発信している。図１３の上図の図中の人型のイラストはユーザの位置を模式的に示している。例えば、図１３の上図のようにユーザがカフェテリア（Ｆ）前の通路（Ｅ）にいる場合、ステップＳ３２６で、ビーコンＢから発信するＩＤ信号（♯◇△）を受信すると、ステップＳ３３０で、受信したビーコンＢのＩＤ信号（♯◇△）に関連付けられた色調コード（♯３４０）を館内マップデータベース３５０から選択する。そして、ステップＳ３３２で、選択された色調コード（♯３４０）が配置されているピクセルを第３制御色レイヤー３１０から検索して、色調コード（♯３４０）が配置されているピクセルに対応する館内イラストマップ３００の通路（Ｅ）上に「★」マークを表示し、ユーザの現在位置を表示する（図１３の下図参照）。
【００９２】
また、端末１９０のタッチパネル機能を利用して、図１４の上図に示すように、端末１９０のモニタに表示された館内イラストマップ３００を指でタップして、説明情報を表示させたい対象を直接指定してもよい（ステップＳ３３６）。ユーザが端末１９０のモニタ上のタッチパネルで領域ポイントが指定されると、指定された領域ポイントに対応するピクセル群に関連付けされた色調コードを第３制御色レイヤー３１０から選択する。そして、ステップＳ３４０で、館内マップデータベース３５０に基づいて、選択した色調コードに関連付けられた領域ポイントの説明情報が選択され、図１４の下図に示すように、端末１９０のモニタに説明文が表示される。説明文は、上記のように端末１９０のモニタに表示してもよいし、また、端末１９０のスピーカー機能を用いて音声で説明してもよいし、モニタに表示しながら、音声での説明を併用してもよい。この場合、目と耳で説明が確認できるので、効果的である。
【００９３】
ステップＳ３３４で、操作を終了するかを判断する。他の階の地図を選択する場合（Ｎ）はステップＳ３４２に進み、端末１９０のモニタの表示をリセットしてステップＳ３２２に戻り、他の階の地図を選択する。端末１９０の操作を終了する場合（Ｙ）は、端末１９０の電源をＯＦＦにするなどして操作を終了する。
【００９４】
上記のように、第３制御色レイヤー３１０を用いて、館内に設置されたビーコンＢのＩＤ信号と色調コードとを関連付けたり、館内イラストマップ３００上の通路や展示などのポイントと色調コードとを関連付けすることにより、現在位置や展示物の説明文の表示ができる。この他にも、トイレやエレベータの場所の表示、カフェテリアのメニュー表示なども同様に表示することができ、館内見学における様々な便宜を提供することができる。実空間での座標位置を、実空間とは縮尺や形状などが無関係である任意の縮尺・形状を有するイラスト図に表示することができる。また、イラスト図の対象物を選択すれば対象物に関連する情報などを表示することができる。
【００９５】
上記のように、本発明にかかる実施形態に依れば、従来のように座標データの代わりに色調コードを用いることにより、簡易な方法で色調コードにいろんな情報を関連付けすることができる。そのため、関連付けられた色調コードにより端末１９０が有する表示画面（モニタ）やＧＰＳ機能、受信機能、音声機能などを制御することが可能になり、様々なサービスをユーザに提供することができるのである。例えば、緯度経度などで指定される実空間での座標位置に係わることなく、実空間とは縮尺や形状などが無関係である任意の縮尺・形状を有するイラスト図に様々な事物の位置や情報を表示することができる。また、イラスト図の対象物を選択すれば対象物に関連する情報などを表示することができる。
【００９６】
ここで、端末１９０は、表示端末の一例であり、四国地図の白地図１３０および道路イラスト図２３０、館内イラストマップ３００は、画像表示の一例であり、四国地図データベース１５０および道路地図データベース２５０、館内マップデータベース３５０は、データベースの一例であり、第１制御色レイヤー１１０および第２制御色レイヤー２１０、第３制御色レイヤー３１０は、色調コードレイヤーの一例である。
【００９７】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【符号の説明】
【００９８】
１００・・四国地図
１１０・・第１制御色レイヤー
１２０・・第１制御色パレット
１３０・・四国地図の白地図
１５０・・四国地図データベース
１８０・・データベース構築部
１９０・・端末
２００・・道路地図
２１０・・第２制御色レイヤー
２２０・・第２制御色パレット
２３０・・道路イラスト図
２５０・・道路地図データベース
２４０・・人工衛星
３００・・館内イラストマップ
３１０・・第３制御色レイヤー
３２０・・第３制御色パレット
３３０・・展示館内実空間
３５０・・館内マップデータベース
【図１】
2017146493.tif 000003
【図２】
2017146493.tif 000004
【図３】
2017146493.tif 000005
【図４】
2017146493.tif 000006
【図５】
2017146493.tif 000007
【図６】
2017146493.tif 000008
【図７】
2017146493.tif 000009
【図８】
2017146493.tif 000010
【図９】
2017146493.tif 000011
【図１０】
2017146493.tif 000012
【図１１】
2017146493.tif 000013
【図１２】
2017146493.tif 000014
【図１３】
2017146493.tif 000015
【図１４】
2017146493.tif 000016
【図１５】
2017146493.tif 000017
【図１６】
2017146493.tif 000018
【手続補正書】
【提出日】平成28年9月14日(2016.9.14)
【手続補正１】
【補正対象書類名】明細書
【補正対象項目名】全文
【補正方法】変更
【補正の内容】
【発明の詳細な説明】
【技術分野】
【０００１】
本発明は、表示画面を構成する画素の色調コードに情報を関連付け、色調コードで情報を制御する地図情報表示装置、および地図情報データ構造に関する。
【背景技術】
【０００２】
従来から地物／設備の位置形状情報とその属性情報とを関連付けて管理できる地図設備図面情報管理システムを構築する方法が、例えば、特許文献１に開示されている。すなわち、地物／設備の位置形状に関する情報を全てベクトル化して管理していた従来のシステムに対して、特許文献１では地図や設備図面等から得たデジタルイメージデータと代表座標点の座標データにより地物／設備の位置形状に関する情報を管理するイメージ化方式により管理し、かつ検索を容易にすることができるとしている。
【先行技術文献】
【特許文献】
【０００３】
【特許文献１】特開平６−２７４１０２号公報
【発明の開示】
【発明が解決しようとする課題】
【０００４】
特許文献１に開示された地図設備図面情報管理システムは、地図や設備図面等から得たデジタルイメージデータに対して、個々に代表座標点の座標データを入力するものである。そのため、デジタルイメージデータ毎に座標データを算出して入力する必要があり、座標データの入力作業が煩雑であるという問題がある。
【０００５】
本発明は前記従来の問題点を解消するためになされたものであり、座標データやイラスト図上の指定位置と色調コード（本発明では「制御色」と言う）とを関連付けて、簡易に画面表示用のデータベースを構築でき、かつ、構築したデータベースを用いて多様なサービスを提供することができる地図情報表示装置、および地図情報データ構造を提供することを目的とする。
【課題を解決するための手段】
【０００６】
前記目的を達成するため請求項１に係る地図情報表示装置は、経緯度情報を含む地図情報あるいは経緯度情報が捨象された事物間の相対的な位置関係を示す相対位置情報を表示する地図情報表示装置である。地図情報あるいは相対位置情報を表示する表示端末と、表示端末に地図情報あるいは相対位置情報を表示する際に参照される地図情報データベースと、制御部とを備える。地図情報データベースは、地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部は、属性情報を受け付ける第１入力処理と、地図情報データベースに備えられている関連付け情報により、属性情報に関連付けられている配置色調コードを抽出する第１抽出処理と、地図情報データベースに備えられている配置色調コードレイヤーにより、第１抽出処理により抽出された配置色調コードが割り当てられているピクセルに対応する所定位置あるいは所定領域を抽出する第２抽出処理と、第２抽出処理により抽出された所定位置あるいは所定領域を、属性情報に対応して表示端末に表示する第１表示処理とを実行することを特徴とする。
【０００７】
また、請求項７に係る地図情報データ構造は、表示端末と、制御部とを備え、表示端末に、経緯度情報を含む地図情報あるいは経緯度情報が捨象された事物間の相対的な位置関係を示す相対位置情報を表示する際に用いられる地図情報データ構造である。地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部による、属性情報を受け付ける第１入力処理と、関連付け情報により、属性情報に関連付けられている配置色調コードを抽出する第１抽出処理と、配置色調コードレイヤーにより、第１抽出処理により抽出された配置色調コードが割り当てられているピクセルに対応する所定位置あるいは所定領域を抽出する第２抽出処理と、第２抽出処理により抽出された所定位置あるいは所定領域を、属性情報に対応して表示端末に表示する第１表示処理とに用いられることを特徴とする。
【０００８】
また、請求項５に係る地図情報表示装置は、経緯度情報を含む地図情報あるいは経緯度情報が捨象された事物間の相対的な位置関係を示す相対位置情報を表示する地図情報表示装置である。地図情報あるいは相対位置情報を表示する表示端末と、表示端末に地図情報あるいは相対位置情報を表示する際に参照される地図情報データベースと、制御部とを備える。地図情報データベースは、地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部は、所定位置あるいは所定領域を受け付ける第２入力処理と、地図情報データベースに備えられている配置色調コードレイヤーにより、所定位置あるいは所定領域に対応するピクセルに割り当てられている配置色調コードを抽出する第３抽出処理と、地図情報データベースに備えられている関連付け情報により、第３抽出処理により抽出された配置色調コードに関連付けられている属性情報を抽出する第４抽出処理と、第４抽出処理により抽出された属性情報を、所定位置あるいは所定領域に対応して表示端末に表示する第２表示処理とを実行することを特徴とする。
【０００９】
また、請求項８に係る地図情報データ構造は、表示端末と、制御部とを備え、表示端末に、経緯度情報を含む地図情報あるいは経緯度情報が捨象された事物間の相対的な位置関係を示す相対位置情報を表示する際に用いられる地図情報データ構造である。地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部による、所定位置あるいは所定領域を受け付ける第２入力処理と、配置色調コードレイヤーにより、所定位置あるいは所定領域に対応するピクセルに割り当てられている配置色調コードを抽出する第３抽出処理と、関連付け情報により、第３抽出処理により抽出された配置色調コードに関連付けられている属性情報を抽出する第４抽出処理と、第４抽出処理により抽出された属性情報を、所定位置あるいは所定領域に対応して表示端末に表示する第２表示処理とに用いられることを特徴とする。
【００１０】
【００１１】
【００１２】
【００１３】
【００１４】
【００１５】
【発明の効果】
【００１６】
本願に係る地図情報表示装置、地図情報データ構造によれば、従来技術のような座標データの代わりに表示端末に非表示の色調コードを用いて、表示画像に対応する所定位置あるいは所定領域を特定することができる。これにより、表示画像の所定位置あるいは所定領域に属性を持たせるデータベースを簡易に構築することができる。そのため、様々な情報を色調コードに関連付けすることにより、色調コードに応じて、簡易に様々な情報を表示端末に表示することができる。
【００１７】
【００１８】
【００１９】
【００２０】
【００２１】
【００２２】
【００２３】
【００２４】
また、表示端末には非表示の色調コードを媒介として地図やイラスト地図など所定位置あるいは所定領域と情報との関連付を行うので、表示端末への情報の表示を簡易に行うことができる。例えば、緯度経度などで指定される実空間での座標位置を、実空間とは縮尺や形状などが無関係な任意の縮尺・形状を有するイラスト図に表示することができる。また、イラスト図の対象物を選択すれば対象物に関連する関連情報などを表示することができる。
【図面の簡単な説明】
【００２５】
【図１】本発明の実施形態に係るデータベース構築システムの全体構成図である。
【図２】本発明の第１の実施形態に係るデータベース構築を説明する図（その１）である。
【図３】本発明の第１の実施形態に係るデータベース構築を説明する図（その２）である。
【図４】図２および図３で示した制御色データベースを入力した端末において端末の表示部（モニタ）と制御色データベース（制御色レイヤー）の関係を示した図である。
【図５】本発明の第１の実施形態に係る端末の操作例を示した図である。
【図６】図２および図３で示した制御色データベースを構築する手順を示した図である。
【図７】図５で示した本発明の第１の実施形態に係る端末の操作例の操作手順を示した図である。
【図８】本発明の第２の実施形態に係るデータベース構築を説明する図である。
【図９】図８で示した制御色データベースを入力した端末において端末の表示部（モニタ）と制御色データベース（制御色レイヤー）の関係を示した図である。
【図１０】図８で示した制御色データベースを構築する手順を示した図である。
【図１１】図９で示した本発明の第２の実施形態に係る端末の操作例の操作手順を示した図である。
【図１２】本発明の第３の実施形態に係るデータベース構築を説明する図である。
【図１３】本発明の第３の実施形態に係る端末の操作例を示した図（その１）である。
【図１４】本発明の第３の実施形態に係る端末の操作例を示した図（その２）である。
【図１５】図１２で示した制御色データベースを構築する手順を示した図である。
【図１６】図１３および図１４で示した本発明の第３の実施形態に係る端末の操作例の操作手順を示した図である。
【発明を実施するための形態】
【００２６】
以下、本発明に係る実施形態について図面を参照して説明する。
まず、本実施形態に係るデータベース構築システムの構成について図１を参照して説明する。
【００２７】
図１は、本発明の実施形態に係るデータベース構築システムの全体構成を示す図である。地図や設備などの図面１６０をデジタル化手段１７０によりデジタルデータに変換する。デジタル化手段１７０は、例えば、スキャナーやデジタルカメラなどを採用することができる。図面１６０がデジタルデータである場合は、デジタル化手段１７０は必要ない。図面１６０の媒体に合わせて適宜デジタル化手段１７０を選択して利用すればよい。
【００２８】
デジタル化手段１７０によってデジタルデータに変換した図面１６０のデジタルデータはデータベース構築部１８０に入力されて内部のメモリに保存される。そして、データベース構築部１８０内のモニタやキーボード、マウス、タッチパネルなどを用いて、図面１６０のデータベースを構築する。ここで、データベース構築部１８０は、データベースをユーザに提供する情報提供者が有する。情報提供者とは、行政機関、観光業者、施設運営者などであり、それぞれの領域で情報発信したい地図や設備などをユーザに提供する主体である。
【００２９】
構築したデータベースはユーザが使用する端末１９０（例えば、タブレット型ＰＣやスマートフォンなど）に入力（ダウンロード）し、端末１９０を用いて、以下に説明する図面１６０のデータベースを用いた様々なサービスをユーザに提供することができるのである。データベースを構築する方法の詳細については、以下の実施例で説明するので省略する。
【００３０】
次に、上記データベース構築システムを用いた第１の実施例について図２から図７を参照して説明する。
【００３１】
第１の実施例は地図をデータベース化してユーザに種々のサービスを提供する。以下、説明では四国の地図を用いて説明するが、四国の地図は一実施例であって、これに限定されるものではなく、他の地域、例えば北海道や東北、関東など国内の地図であってもよいし、米国や中国など海外の地図であってもよい。
【００３２】
まず、図２および図３、図６を参照してデータベースの構築方法について説明する。図２および図３はデータベース構築を説明する図であり、図６はデータベース構築者が行う手順のフローを説明する図である。
【００３３】
ステップＳ１００では、データベース構築部１８０にユーザが用いる端末１９０の情報を入力する。ここで、入力する情報は端末１９０のモニタの画素サイズ（○△ピクセル×□▲ピクセル）や階調（ＲＧＢ又はグレースケール）などである。より具体的には、画素サイズ例：４８０ピクセル×２４０ピクセル、階調例：グレースケール（１６階調）など端末１９０のモニタの仕様を入力する。
【００３４】
ステップＳ１０２では、データベースを構築する地図を選択する。データベース構築部１８０内のメモリには、上記のように様々な地図のデジタルデータが保存されている。そこで、データベース構築部１８０内のモニタやキーボードなどを用いてデータベースを構築する地図を選択する。尚、本実施例では四国地図を選択する。もし、四国地図の情報が存在していない場合や足りない情報などがある場合はステップＳ１０４において、デジタル化手段１７０により図面１６０をデジタル化し、あるいはデジタルデータである図面１６０を入手する。
【００３５】
ステップＳ１０６では、データベース構築部１８０内のモニタに四国地図１００と第１制御色パレット１２０が表示される（図２参照）。第１制御色パレット１２０には、「空港」や「ホテル」、「温泉」などの分類名と共に分類名毎に異なる色調の制御色が配置されている。ここで、制御色とは、地図上の対象物である分類を識別するために分類ごとに固有の色調コードで定義された識別子である。分類ごとに地図上に存在する位置に対応してピクセル単位で定義されるものである。分類ごとに地図上の位置を定義し、更には分類ごとの情報を関連付けるための識別子としての役割を有するものであり、ユーザの端末１９０に表示される色調情報とは別途定義され、端末１９０には色調情報として表示されるものではない。
【００３６】
ステップ１０８では、第１制御色パレット１２０から分類名（制御色）を選択する。選択する方法は、図２の図中の（１）に示すように矢印カーソルをマウスまたはキーボードで選択する分類名の制御色の位置に移動させてマウスをクリックするか、キーボードのリターンキーを押すなどして選択する。選択する方法はこれに限定するものではなく、タッチパネルを用いて、選択する分類名の制御色の位置を直接タップして選択してもよい。
【００３７】
ステップＳ１１０では、モニタに表示されている四国地図１００に対してステップＳ１０８で選択した分類名に関連付ける位置（ポイント）を指定する。例えば、図２の図中の（１）で「空港」の制御色が指定された場合には、図２の図中の（２）で四国地図１００にある「空港」の位置を指定していく。これにより、四国地図１００における「空港」の位置に対応するピクセルに「空港」として定義される制御色が配置される。指定する方法は、ステップ１０８の分類名の選択時と同様、図２の図中の（２）に示すように矢印カーソルをマウスまたはキーボードで指定してマウスをクリックするか、キーボードのリターンキーを押すなどして指定する。ステップＳ１０８と同様、タッチパネルを用いて指定してもよい。
【００３８】
ステップＳ１１２で、四国地図１００についてデータ入力が終了したら（Ｙ）、ステップＳ１１４に進む。終了していない場合（Ｎ）はステップＳ１０８に戻り、分類名（制御色）の選択と四国地図１００上の位置の指定とを続ける。
【００３９】
ステップ１１４では、データベース入力を終了するか否かを判断する。例えば、四国地図１００のみで終了する場合（Ｙ）は、データベース入力が終了してデータベース構築が終了し、構築したデータベースはデータベース構築部１８０内のメモリに保存される。他の地図についても四国地図１００と同様にデータベースを構築する場合（Ｎ）は、ステップＳ１０４に戻って他の地図を選択して、四国地図１００の場合と同様にデータベースを構築する。
【００４０】
上記の方法で構築した四国地図１００のデータベースの一例を四国地図データベース１５０として図６の左側に示す。例えば、「空港」が位置するポイントには＃１００の色調コードが定義される。高知空港、松山空港など、データベース構築者が「空港」として指定する位置に＃１００の色調コードが定義される。同様に、「温泉」が位置するポイントには＃１２０の色調コードが定義される。塩江温泉、道後温泉など、データベース構築者が「温泉」として指定する位置に＃１２０の色調コードが定義される。ここで、＃１００や＃１２０は色調コードを簡略して示したものである。本来の色調コードでは、例えば、ＲＧＢの３原色が各々８ビットで構成される場合、２４ビットの色調コードで識別されることとなる。この場合、総数で１６００万（２の２４乗）通りの識別が可能である。尚、本実施例では、＃１００や＃１２０の色調コードと制御色とは同意として扱う。そして、上記のように、各ピクセルに制御色を定義して制御色レイヤー（本実施例では第１制御色レイヤー１１０）が作成される。
【００４１】
図３は上記の操作で構築したデータベースの一例を示した第１制御色レイヤー１１０である。第１制御色レイヤー１１０は、上記ステップＳ１００で入力した端末１９０のモニタの画素サイズ（縦ピクセル数×横ピクセル数）に合わせて、縦と横とを格子状に区画されたピクセル毎に制御色が定義される。ここで、ピクセルは端末１９０を構成するモニタの１つの画素を示す。便宜上、図３に示すように、第１制御色レイヤー１１０の最左上のピクセルをＰｉｘ（０，０）とし、最右下のピクセルをＰｉｘ（ｎ（Ｍａｘ．），ｍ（Ｍａｘ．））として座標表記することにする。そして、任意のピクセルをＰｉｘ（ｎ，ｍ）と座標表記する。ここで、ｎは横方向、ｍは縦方向の位置を示す。
【００４２】
図３に示すように、四国地図１００を参照して入力した「空港」や「ホテル」、「温泉」などの位置に相当するピクセルに各分類の制御色が定義される。このように各ピクセル（各画素）に制御色を定義することにより、簡易に地図上の情報（本実施例では、「空港」や「ホテル」、「温泉」などの位置）をデータベース化することができる。
【００４３】
図４は、端末１９０のモニタに表示される四国地図の白地図１３０と図３で示した第１制御色レイヤー１１０の関係を示したものである。端末１９０には、第１制御色レイヤー１１０が位置合わせして重ねられた白地図の四国地図１３０が表示される。端末１９０に表示されるのは、白地図の四国地図１３０であり第１制御色レイヤー１１０は非表示とされる。
【００４４】
次に、第１の実施例におけるユーザによる端末１９０への地図情報表示の操作手順について図５および図７を参照して説明する。図５は、第１の実施例における端末１９０のモニタに表示される四国地図の白地図１３０上に表示される情報の例を示した図であり、図７は端末１９０の操作手順のフローを示した図である。尚、図５および図７に示した操作は一例であり、これに限定されるものではなく、他の操作手順や操作方法を採用可能であることは言うまでもない。
【００４５】
ステップＳ１２０では、上記データベース構築部１８０で構築されたデータベースを入力する。端末１９０のモニタには図示しない選択画面が表示される。ステップ１２２では、端末１９０のモニタに表示された選択画面（不図示）から表示したい地図を選択する。本実施例では、「四国地図」を選択する。地図の選択が終了すると、ステップ１２４では、選択された地図、本実施例では四国地図の白地図１３０が図５の（Ａ）に例示するように端末１９０のモニタに表示される。そして、四国地図の白地図１３０の右下には分類名が列記されて表示される。
【００４６】
ステップＳ１２６では、端末１９０のモニタに表示された四国地図の白地図１３０において、表示したい分類名が表記されている部分に、マウスなどを操作して矢印カーソルを移動して、マウスのクリックボタンやキーボードなどを用いて指定する。本実施例では、図５の（Ａ）のように「空港」を指定する。
【００４７】
ステップＳ１２６で「空港」を指定すると、ステップＳ１２８では、第１制御色レイヤー１１０から、「空港」の色調コードである「＃１００」が定義されているピクセルの位置を検出する。
【００４８】
ステップＳ１３０では、ステップＳ１２８で検出した第１制御色レイヤー１１０のピクセル位置に対応する四国地図の白地図１３０の位置（端末１９０のモニタのピクセル位置）に図５の（Ａ）のようにピン表示する。四国地図の白地図１３０と第１制御色レイヤー１１０とは位置合わせがされているので、第１制御色レイヤー１１０を用いてユーザが知りたい情報を制御色で関連付けることにより、簡易に端末１９０のモニタに表示されている四国地図の白地図１３０に位置情報を表示制御できるのである。
【００４９】
ステップＳ１３２で、別の分類名をピン表示させたい場合（Ｙ）は、ステップＳ１３６に進み表示をリセットして、ステップＳ１２６に戻り、端末１９０のモニタに表示される矢印カーソルで別の分類名を指定する。別の分類名をピン表示しない場合は、ステップＳ１３４に進み、端末１９０の操作を終了するか判断する。操作を続ける場合（Ｎ）は、ステップＳ１３６に進み、端末１９０のモニタの表示がリセットされてピン表示などが消去され、ステップＳ１２６に戻る。端末１９０の操作を終了する場合（Ｙ）は、端末１９０の電源をＯＦＦにするなどして操作を終了する。
【００５０】
上記説明では、端末１９０のモニタに表示される矢印カーソルをマウスなどで操作して指定したが、端末１９０のモニタがタッチパネル機能を有していれば、タッチパネルで直接タップして上記の選択操作や指定操作を実施してもよい。
【００５１】
また、データベースの構築の際（図６）、分類ごとに特定の範囲の色調コードを有する制御色としながら同じ分類に属する個々の対象には異なる制御色を定義し、制御色ごとに固有の関連情報を関連付けるデータベースを構築することも可能である。これにより、分類ごとに白地図に情報表示できると共に、個々の対象ごとに固有の情報を表示することができる。例えば、指定した分類名（「空港」）に応じて、四国地図の白地図１３０に全ての「空港」の位置をピン表示しながら、特定のピン表示の１つを指定して、図５の（Ｂ）図中の（１）に示すように「空港」名「松山空港」を表示することができる。また、特定のピン表示の１つを指定した後に図５の（Ｂ）図中の（２）に示すように、他の分類名「温泉」を指定すると、指定したピン表示（実施例では「松山空港」）に一番近い「温泉」を表示することも可能である。つまり、操作方法や表示方法は、図５や図７のモニタ表示や操作フローに限定されるものではない。例えば、複数の分類名を指定してもよいし、ピン表示についても、ピン表示に限定されることなく、他の表示方法を採用してもよい。
【００５２】
また、説明表示についても、図５の（Ｂ）では、端末１９０のモニタに指定した分類の名称のみを表示したが、データベースに詳細な説明を予め保存してあれば、詳細説明を表示することも可能である。さらに、端末１９０にスピーカーを備えている場合は、端末１９０のモニタでの表示の代わりに音声で説明することも可能である。つまり、図３に示した第１制御色レイヤー１１０のように、各ピクセルに予め所定の情報と関連付けられた制御色を定義することにより、簡易に端末１９０のためのデータベースが構築することができると共に、制御色に対して、いろんな情報を関連付けておくことができることから、端末１９０を操作するユーザに対して様々なサービスを提供することができるのである。
【００５３】
尚、制御色に各種の情報を関連付ける際、制御色の配置されたピクセルの位置情報（座標）も利用することもできる。例えば、データベースの構築の際（図６）、分類ごとに特定の色調コードを有する制御色を第１制御色レイヤー１１０に配置し、合わせて、制御色が配置されるピクセルの位置情報（座標）に関連付けて関連情報を関連付けることもできる。これにより、同じ分類には同じ制御色を定義しながら、この分類に属する個々の対象には固有のピクセルの位置情報（座標）が関連付けられるので、個々の対象ごとに固有の関連情報を関連付けるデータベースを構築することも可能である。このデータベースによっても、上記の例示と同様に、「松山空港」の表示や「松山空港」に一番近い「温泉」の表示を行うことができる。
【００５４】
次に、本発明に係るデータベース構築システムを用いた第２の実施例について図８から図１１を参照して説明する。
【００５５】
第２の実施例は地図上の位置と制御色とを関連付けてデータベース化しておき、ユーザの所有する端末１９０のＧＰＳ機能を利用してユーザの現在位置に対応して、観光地での観光用のイラスト地図に対して情報を提供する。
【００５６】
まず、図８および図１０を参照してデータベースの構築方法について説明する。図８はデータベース構築を説明する図であり、図１０はその手順を説明するフロー図である。
【００５７】
ステップＳ２００では、第１の実施例と同様、データベース構築部１８０にユーザが用いる端末１９０の情報を入力する。詳細は既に上記で説明しているので、ここでは省略する。
【００５８】
ステップＳ２０２では、第１の実施例と同様、データベースを構築する地図を選択する。本実施例では、複数の神社が点在する観光地の実縮尺の道路地図２００を選択する。選択方法は第１の実施例と同様であるので、省略する。
【００５９】
ステップＳ２０４では、データベースを構築する道路地図２００のデジタルデータとデータベース構築部１８０内のモニタに表示される道路地図２００の最左上の点Ｐの緯度経度（緯度：□△、経度：○△）と最右下の点Ｑの緯度経度（緯度：△□、経度：×○）入力する（図８参照）。
【００６０】
ステップＳ２０６では、選択した道路地図２００と第２制御色パレット２２０が表示される（図８参照）。尚、第２制御色パレット２２０の色の配列は、ある基準に基づいて配置してもよいし、任意に配置してもよい。ユーザが操作しやすいように配置されていればよい。
【００６１】
ステップＳ２０８では、第２制御色パレット２２０から制御色を選択する。選択する方法は、第１の実施例と同様、図８の図中の（１）に示すように矢印カーソルをマウスまたはキーボードで選択する制御色の位置に移動させてマウスをクリックするか、キーボードのリターンキーを押すなどして選択する。
【００６２】
ステップＳ２１０では、モニタに表示されている道路地図２００に対してステップＳ２０８で選択した制御色に関連付ける位置（場所）を指定する（図８の図中の（２））。本実施例では、図８の道路地図２００の道路上のＡからＨの８つのポイントを指定するが、これら８つのポイントに限定するものではなく、さらに多くのポイントを設定してもよいし、道路以外のポイントを指定してもよい。指定方法は、第１の実施例と同様であるので、省略する。
【００６３】
ステップＳ２１０で各ポイント（ＡからＨ）を指定すると、ステップＳ２０４で入力したＰ点とＱ点の緯度経度の値から、道路地図２００上での各ポイントの緯度経度が算出され、図１０の右側に示した道路地図データベース２５０のように各ポイントの緯度経度を中心とした所定の円内（図８に示す点線の円内）にステップＳ２０８で指定した制御色（色調コード）が関連付けされる。図８に道路地図２００に関連付けられた座標制御色対応情報２０５を示す。座標制御色対応情報２０５は、緯度経度の座標上で道路地図２００に対応しており、ユーザの所有する端末１９０のＧＰＳ機能により測地される緯度経度を制御色に対応付けるものである。ここで、所定の円内とは、ユーザの現在位置が、略、各円の中心である各ポイントであることを示す領域を定義するものである。すなわち、ユーザの所有する端末１９０のＧＰＳ機能により測地される緯度経度情報が、この円内にあれば、ユーザの現在位置は、円の中心である各ポイントであると認識する。
【００６４】
なお、関連付けするデータは道路地図データベース２５０に記載した項目に限定されない。例えば、地名や各ポイントにおいて近くに目安となる郵便局や銀行、店舗などがあればそれらについても関連付けをしてデータベース内に保存してもよい。道路地図データベース２５０が構築されると、データベース構築部１８０内のメモリに保存される。
【００６５】
ステップＳ２１２で、道路地図２００のデータ入力が終了したら（Ｙ）、ステップＳ２１４に進む。終了していない場合（Ｎ）は、ステップＳ２０８に戻り、制御色の選択と道路地図２００上の位置の指定とを続ける。
【００６６】
ステップ２１４では、端末１９０のモニタに表示される道路イラスト図２３０に対応した第２制御色レイヤー２１０を作成する（図９）。図９には、道路イラスト図２３０に合わせて重ねられる第２制御色レイヤー２１０を示す。第２制御色レイヤー２１０は、第１の実施例の第１制御色レイヤー１１０と同様、ステップＳ２００で入力した端末（例えば、タブレット型ＰＣやスマートフォンなど）のモニタの画像サイズ（縦ピクセル数×横ピクセル数）に合わせて、縦と横とを格子状に区画されている。そして、道路イラスト図２３０上の各ポイント（Ａ〜Ｈ）に対応するピクセルに、道路地図データベース２５０に基づいて、各ポイント（Ａ〜Ｈ）に対応する制御色の色調コード（＃２００〜＃２７０）を配置して作成する。これにより、端末１９０のＧＰＳ機能により測地される緯度経度が、制御色を媒介として道路イラスト図２３０上の位置に関連付けられ、道路イラスト図２３０上でユーザの現在位置を確認することができる。作成した第２制御色レイヤー２１０はデータベース構築部１８０内のメモリに保存される。
【００６７】
ステップＳ２１４で第２制御色レイヤー２１０の作成が終了したら、ステップＳ２１６に進み、データベース入力を終了するか否かを判断する。例えば、道路地図２００のみで終了する場合（Ｙ）は、データベース入力が終了する。他の地図についても道路地図２００と同様にデータベースを構築する場合（Ｎ）は、ステップＳ２０２に戻って他の道路地図を選択して、道路地図２００の場合と同様にデータベースを構築する。
【００６８】
次に、第２の実施例におけるユーザによる端末１９０の操作手順について図９および図１１を参照して説明する。上記のように、図９は、第２の実施例における端末１９０のモニタに表示される道路地図２００の道路イラスト図２３０と第２制御色レイヤー２１０の関係を示した図であり、図１１は端末１９０の操作手順のフローを示した図である。尚、図９および図１１に示した操作は一例であり、これに限定されるものではなく、他の操作手順や操作方法を採用可能であることは言うまでもない。
【００６９】
ステップＳ２２０では、上記データベース構築部１８０で構築された道路地図データベース２５０および第２制御色レイヤー２１０を入力する。端末１９０のモニタには図示しない選択画面が表示される。ステップ２２２では、端末１９０のモニタに表示された選択画面から表示したいイラスト地図を選択する。本実施例では、「○△道路」の道路イラスト図２３０を選択する。イラスト地図の選択が終了すると、ステップ２２４では、選択された「○△道路」の道路地図２００に対応する道路イラスト図２３０が端末１９０のモニタに表示される。
【００７０】
ステップＳ２２６では、ユーザの所有する端末１９０のＧＰＳ機能により現在位置のＧＰＳ信号を受信する。ステップＳ２２８では、受信したＧＰＳ信号から現在位置の緯度経度を検出する。ステップＳ２３０では、道路地図データベース２５０を用いて、検出した緯度経度が何れかのポイント（Ａ〜Ｈ）を中心として指定されている所定の円内であるか否かが検出される。具体的には、図８に示すように、座標制御色対応情報２０５に基づいて、人工衛星２４０からのＧＰＳ信号による緯度経度に対応する制御色を検出する。検出した緯度経度が所定の円内であると検出されることに応じて、該円内に関連付けられた色調コードを検出する。所定の円内ではないと検出されると、関連付けられた色調コードがないので（Ｎ）、ステップＳ２２６に戻ってＧＰＳ信号を受信する。色調コードが検出できた場合（Ｙ）は、ステップＳ２３２で、検出した色調コードが配置されているピクセルを第２制御色レイヤー２１０から検出する。そして、ステップＳ２３４で、検出したピクセルに対応する道路イラスト図２３０の位置に現在位置を表示する（図９の多重円）。
【００７１】
現在位置の通知は、図９のように端末１９０のモニタに表示される道路イラスト図２３０に通知表示することに限定されない。例えば、端末１９０がスピーカー機能を有していれば、音声で通知することも可能である。
【００７２】
ステップＳ２３６で、操作を終了するかを判断する。他の道路地図を選択する場合（Ｎ）はステップＳ２３８に進み、端末１９０のモニタの表示をリセットしてステップＳ２２２に戻り、他の道路地図を選択する。端末１９０の操作を終了する場合（Ｙ）は、端末１９０の電源をＯＦＦにするなどして操作を終了する。
【００７３】
上記の第２制御色レイヤー２１０の例では、色調コードを各ポイントの中心位置のピクセルにのみ関連付けを実施したが、これに限定されない。例えば、データベースの構築（図１０）の際、座標制御色対応情報２０５において、各ポイントからの距離に応じて色調コードを順次変化させるデータベースを構築しておく。これに対応して、第２制御色レイヤー２１０において、座標制御色対応情報２０５で定義された色調コードに合わせて、道路イラスト図における各ポイントからの距離に応じて色調コードが順次変化する構成とすることもできる。これにより、現在位置を、より詳細に道路イラスト図２３０に表示することができる。
【００７４】
上記のように、ＧＰＳ信号から得られる緯度経度情報と色調コードとを関連付けた座標制御色対応情報２０５を準備し、更に、第２制御色レイヤー２１０を用いて色調コードと道路イラスト図との関連付を行うことにより、第２実施例に係るような端末１９０のＧＰＳ機能を用いたサービスが簡易にユーザに提供できるのである。すなわち、端末１９０を有するユーザの現在位置を、簡易に道路イラスト図２３０に表示することができる。緯度経度で指定される実空間での座標位置を、実空間とは縮尺や形状などが無関係である任意の縮尺・形状を有するイラスト図に表示することができる。
【００７５】
次に、本発明に係るデータベース構築システムを用いた第３の実施例について図１２から図１６を参照して説明する。
【００７６】
第３の実施例は博物館や水族館など展示館の館内イラストマップ地図をデータベース化し、展示館内のいろいろな位置に設置されているビーコン（所定のＩＤ信号を発信する近距離無線通信機）と端末１９０の受信機能を利用してユーザに種々のサービスを提供する。以下、説明では展示館の一例を用いて説明するが、本発明に係る第３の実施例は、これに限定されるものではなく、水族館や博物館などのその他の展示館やショッピングモールなどにおいても、以下に説明する方法や手順により実施可能である。
【００７７】
まず、図１２および図１５を参照してデータベースの構築方法について説明する。図１２の上図はデータベースの構築方法を説明する図であり、図１２の下図は構築したデータベースに基づいて作成した制御色レイヤー（第３制御色レイヤー３１０）を示す図である。図１５はそれらの手順を説明するフロー図である。
【００７８】
ステップＳ３００では、第１の実施例や第２の実施例と同様、データベース構築部１８０にユーザが用いる端末１９０の情報を入力する。詳細は既に上記で説明しているので、ここでは省略する。
【００７９】
ステップＳ３０２では、第１の実施例や第２の実施例と同様、データベースを構築する展示館のイラスト地図を選択する。上記で説明したように、データベース構築部１８０内のメモリには、様々な地図のデジタルデータが保存されている。そこで、データベース構築部１８０内のモニタやキーボードなどを用いてデータベースを構築するイラスト地図を選択する。尚、本実施例では、展示館の館内イラストマップ３００を選択する。もし、展示館の館内イラストマップ３００の情報が存在していない場合や足りない情報などがある場合はステップＳ３０４において、デジタル化手段１７０により図面１６０をデジタル化し、あるいはデジタルデータである図面１６０を入手する。
【００８０】
ステップＳ３０６では、データベース構築部１８０内のモニタに館内イラストマップ３００と第３制御色パレット３２０が表示される（図１２の上図参照）。尚、第３制御色パレット３２０の色の配列は、第２制御色パレット２２０と同様、ある基準に基づいて配置してもよいし、任意に配置してもよい。ユーザが操作しやすいように配置されていればよい。
【００８１】
ステップＳ３０８では、第３制御色パレット３２０から制御色を選択する。選択する方法は、第１の実施例や第２の実施例と同様、図１２の上図の図中の（１）に示すように矢印カーソルをマウスまたはキーボードで選択する制御色の位置に移動させてマウスをクリックするか、キーボードのリターンキーを押すなどして選択する。
【００８２】
ステップＳ３１０では、モニタに表示されている館内イラストマップ３００に対してステップＳ３０８で選択した制御色に関連付ける位置（場所）を領域指定する（図１２の上図の図中の（２））。本実施例では、図１２の館内イラストマップ３００内のＡからＨの８つの領域ポイント（通路（Ａ、Ｄ、Ｅ）、展示Ａ（Ｂ）、展示Ｂ（Ｃ）、カフェテリア（Ｆ）、トイレ（Ｇ）、エレベータ（Ｈ）など）を指定するが、これら８つの領域ポイントに限定するものではなく、さらに詳細に設定してもよい。指定方法は、第１の実施例や第２の実施例と同様であるので、省略する。
【００８３】
ステップＳ３１０で、各領域ポイント（ＡからＨ）を指定すると、図１５の左側に示した館内マップデータベース３５０のように各領域ポイント（ＡからＨ）に対して制御色（色調コード）が関連付けされる。指定した領域ポイントを示す場所にビーコンが設置されている場合は、各ビーコンが発信するＩＤ信号（△□、▲○、◇△など）を各領域ポイントに関連付けされた制御色に対して関連付けする（館内マップデータベース３５０参照）。
【００８４】
尚、関連付けするデータは館内マップデータベース３５０に記載した項目に限定されない。例えば、展示Ａ（Ｂ）や展示Ｂ（Ｃ）については、制御色に加えてその展示の説明を、また、カフェテリア（Ｆ）には、制御色に加えてメニュー内容などを関連付けしてデータベース内に保存してもよい。館内マップデータベース３５０が構築されると、データベース構築部１８０内のメモリに保存される。
【００８５】
ステップＳ３１２で、館内イラストマップ３００のデータ入力が終了したら（Ｙ）、ステップＳ３１４に進む。終了していない場合（Ｎ）は、ステップＳ３０８に戻り、制御色の選択と館内イラストマップ３００上の領域ポイントの指定、および関連情報との関連付けを続ける。
【００８６】
ステップ３１４では、端末１９０のモニタに表示される館内イラストマップ３００に対応した第３制御色レイヤー３１０を作成する（図１２の下図）。図１２の下図には、館内イラストマップ３００に合わせて重ねられる第３制御色レイヤー３１０を示す。第３制御色レイヤー３１０は、第１の実施例の第１制御色レイヤー１１０や第２の実施例の第２制御色レイヤー２１０と同様、ステップＳ３００で入力した端末１９０（例えば、タブレット型ＰＣやスマートフォンなど）のモニタの画像サイズ（縦ピクセル数×横ピクセル数）に合わせて、縦と横とを格子状に区画されている。そして、館内イラストマップ３００上の各領域ポイント（Ａ〜Ｈ）に対応するピクセルあるいはピクセル群に、館内マップデータベース３５０に基づいて、各領域ポイント（Ａ〜Ｈ）に対応する制御色の色調コード（＃３００〜＃３７０）を配置して作成する。ここで、後述する現在位置やトイレ等の位置などを表示するための色調コードについては、所望の位置を特定できればよいので、色調コードはピクセル単位に対応すればよい。また、各展示等の説明情報を表示する際に展示領域をタップするなどする場合には、展示領域に対応するピクセル群に色調コードを配置することが便宜である。タップにより対象となる色調コードを確実に拾うことができるからである。これにより、図１３の上図に示す展示館内実空間３３０の各ポイントが、制御色を媒介として館内イラストマップ３００上に関連付けられ、館内イラストマップ３００上でユーザの現在位置を確認したり、各ポイントの説明を見ることができる。作成した第３制御色レイヤー３１０はデータベース構築部１８０内のメモリに保存される。
【００８７】
ステップＳ３１４で第３制御色レイヤー３１０の作成が終了したら、ステップＳ３１６に進み、データベース入力を終了するか否かを判断する。例えば、館内イラストマップ３００のみで終了する場合（Ｙ）は、データベース入力が終了する。例えば、他の階の館内マップ図についても館内イラストマップ３００と同様にデータベースを構築する場合（Ｎ）は、ステップＳ３０２に戻って他の階の地図を選択して、館内イラストマップ３００の場合と同様にデータベースを構築する。
【００８８】
次に、第３の実施例における端末１９０の操作手順について図１３、図１４および図１６を参照して説明する。図１３および図１４は、第３の実施例における端末１９０の操作の一例を説明する図であり、図１６は端末１９０の操作手順のフローを示した図である。尚、図１３、図１４および図１６に示した操作は一例であり、これに限定されるものではなく、他の操作手順や操作方法を採用可能であることは言うまでもない。
【００８９】
ステップＳ３２０では、上記データベース構築部１８０で構築された館内マップデータベース３５０を入力する。端末１９０のモニタには図示しない選択画面が表示される。ステップ３２２では、端末１９０のモニタに表示された選択画面から表示したい展示館内実空間３３０に対応するイラスト地図を選択する。本実施例では、展示館内実空間３３０として「館内―１Ｆ」を選択する。イラスト地図の選択が終了すると、ステップ３２４では、選択された「館内―１Ｆ」の展示館内実空間３３０に対応する館内イラストマップ３００が端末１９０のモニタに表示される（図１３の下図参照）。
【００９０】
ステップＳ３２６では、館内の各通路（Ａ、Ｄ、Ｅ）にビーコンＢ（近距離無線通信機）を設置しておき、ビーコンＢからのＩＤ信号（♯△□、♯▲○、♯◇△）を受信可能な状態に端末１９０を設定する。ステップＳ３２８でビーコンＢからのＩＤ信号を受信したら（Ｙ）、ステップＳ３３０に進む。もし、受信できなかったら（Ｎ）、ステップＳ３２６に戻りビーコンＢからのＩＤ信号を受信可能な状態にして、ビーコンＢからのＩＤ信号の受信を待つ。
【００９１】
図１３の上図は「館内―１Ｆ」の展示館内実空間３３０を示す。図１３の上図に示すように、各通路（Ａ、Ｄ、Ｅ）にはビーコンＢが設置され、各々異なるＩＤ信号（♯△□、♯▲○、♯◇△）を発信している。図１３の上図の図中の人型のイラストはユーザの位置を模式的に示している。例えば、図１３の上図のようにユーザがカフェテリア（Ｆ）前の通路（Ｅ）にいる場合、ステップＳ３２６で、ビーコンＢから発信するＩＤ信号（♯◇△）を受信すると、ステップＳ３３０で、受信したビーコンＢのＩＤ信号（♯◇△）に関連付けられた色調コード（♯３４０）を館内マップデータベース３５０から選択する。そして、ステップＳ３３２で、選択された色調コード（♯３４０）が配置されているピクセルを第３制御色レイヤー３１０から検索して、色調コード（♯３４０）が配置されているピクセルに対応する館内イラストマップ３００の通路（Ｅ）上に「★」マークを表示し、ユーザの現在位置を表示する（図１３の下図参照）。
【００９２】
また、端末１９０のタッチパネル機能を利用して、図１４の上図に示すように、端末１９０のモニタに表示された館内イラストマップ３００を指でタップして、説明情報を表示させたい対象を直接指定してもよい（ステップＳ３３６）。ユーザが端末１９０のモニタ上のタッチパネルで領域ポイントが指定されると、指定された領域ポイントに対応するピクセル群に関連付けされた色調コードを第３制御色レイヤー３１０から選択する。そして、ステップＳ３４０で、館内マップデータベース３５０に基づいて、選択した色調コードに関連付けられた領域ポイントの説明情報が選択され、図１４の下図に示すように、端末１９０のモニタに説明文が表示される。説明文は、上記のように端末１９０のモニタに表示してもよいし、また、端末１９０のスピーカー機能を用いて音声で説明してもよいし、モニタに表示しながら、音声での説明を併用してもよい。この場合、目と耳で説明が確認できるので、効果的である。
【００９３】
ステップＳ３３４で、操作を終了するかを判断する。他の階の地図を選択する場合（Ｎ）はステップＳ３４２に進み、端末１９０のモニタの表示をリセットしてステップＳ３２２に戻り、他の階の地図を選択する。端末１９０の操作を終了する場合（Ｙ）は、端末１９０の電源をＯＦＦにするなどして操作を終了する。
【００９４】
上記のように、第３制御色レイヤー３１０を用いて、館内に設置されたビーコンＢのＩＤ信号と色調コードとを関連付けたり、館内イラストマップ３００上の通路や展示などのポイントと色調コードとを関連付けすることにより、現在位置や展示物の説明文の表示ができる。この他にも、トイレやエレベータの場所の表示、カフェテリアのメニュー表示なども同様に表示することができ、館内見学における様々な便宜を提供することができる。実空間での座標位置を、実空間とは縮尺や形状などが無関係である任意の縮尺・形状を有するイラスト図に表示することができる。また、イラスト図の対象物を選択すれば対象物に関連する情報などを表示することができる。
【００９５】
上記のように、本発明にかかる実施形態に依れば、従来のように座標データの代わりに色調コードを用いることにより、簡易な方法で色調コードにいろんな情報を関連付けすることができる。そのため、関連付けられた色調コードにより端末１９０が有する表示画面（モニタ）やＧＰＳ機能、受信機能、音声機能などを制御することが可能になり、様々なサービスをユーザに提供することができるのである。例えば、緯度経度などで指定される実空間での座標位置に係わることなく、実空間とは縮尺や形状などが無関係である任意の縮尺・形状を有するイラスト図に様々な事物の位置や情報を表示することができる。また、イラスト図の対象物を選択すれば対象物に関連する情報などを表示することができる。
【００９６】
ここで、端末１９０は、表示端末の一例であり、四国地図の白地図１３０および道路イラスト図２３０、館内イラストマップ３００は、画像表示の一例であり、四国地図データベース１５０および道路地図データベース２５０、館内マップデータベース３５０は、データベースの一例であり、第１制御色レイヤー１１０および第２制御色レイヤー２１０、第３制御色レイヤー３１０は、色調コードレイヤーの一例である。
【００９７】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
本願に係るその他の技術思想を以下に列記する。
本願に係る画像表示の制御方法は、表示端末に表示される画像表示の制御方法であって、前記表示端末の表示制御に係るデータベースとして、前記表示端末に表示される画像情報が格納される表示画像レイヤーと、前記表示画像レイヤーの所定位置あるいは所定領域に対応する位置あるいは領域に配置される色調コードであって、前記表示端末には非表示とされる配置色調コードを格納する色調コードレイヤーとを備え、前記色調コードレイヤーに配置されている前記配置色調コードを選択するステップと、選択された前記配置色調コードに応じて前記表示端末に表示を行うステップとを有する。
これにより、従来技術のような座標データの代わりに表示端末に非表示の色調コードを用いて、表示画像に対応する所定位置あるいは所定領域を特定することができる。これにより、表示画像の所定位置あるいは所定領域に属性を持たせるデータベースを簡易に構築することができる。そのため、様々な情報を色調コードに関連付けすることにより、色調コードに応じて、簡易に様々な情報を表示端末に表示することができる。
また、本願に係る画像表示端末は、表示される画像情報が格納される表示画像レイヤーと、前記表示画像レイヤーの所定位置あるいは所定領域に対応する位置あるいは領域に配置される色調コードであって、非表示とされる配置色調コードを格納する色調コードレイヤーとを備える。
これにより、請求項１に係る画像表示の制御方法と同様に、表示画像の所定位置あるいは所定領域に属性を持たせるデータベースを簡易に構築することができる。そのため、様々な情報を色調コードに関連付けすることにより、色調コードに応じて、簡易に様々な情報を表示端末に表示することができる。 また、本願に係る画像表示の制御方法は、前記表示端末に表示する特定情報を入力するステップと、前記特定情報に対応する色調コードを抽出するステップと、前記対応する色調コードが前記色調コードレイヤーに格納されているか否かの判断を行うステップとを有し、前記選択のステップは、前記判断のステップにより前記対応する色調コードが格納されていると判断された場合、前記対応する色調コードの前記配置色調コードを選択する。
これにより、対応する色調コードが色調コードレイヤーに格納されているか否かの判断し、対応する色調コードが格納されていると判断された場合、対応する色調コードの配置色調コードを選択する。例えば、入力された特定情報に対応する色調コードが色調コードレイヤーに格納されている場合、対応する色調コードの配置色調コードが選択されて、特定情報に関連する情報を表示端末の画像表示と共にあるいは画像表示に代えて表示することができる。 また、本願に係る画像表示の制御方法は、前記データベースは、前記所定位置あるいは前記所定領域ごとに色調コードが異なるエリア色調コードを割り当てる第１対応テーブルを更に備え、前記入力のステップにおいて、前記特定情報はＧＰＳから得られる前記表示端末の現在位置であり、前記抽出のステップは、前記第１対応テーブルより、前記現在位置が含まれる前記所定位置あるいは前記所定領域に割り当てられている前記エリア色調コードを前記対応する色調コードとして抽出し、前記表示のステップは、前記配置色調コードに対応する前記所定位置あるいは前記所定領域を前記表示端末の現在位置として表示する。
すなわち、色調コードレイヤーに所定位置あるいは所定領域ごとに異なるコードのエリア色調コードを配置色調コードとして格納する。そして、ユーザが操作する表示端末のＧＰＳ機能を用いてユーザの現在位置の緯度経度情報を受信すると、第１対応テーブルから現在位置が含まれる所定位置あるいは所定領域に割り当てられているエリア色調コードを検索する。検索されたエリア色調コードが色調コードレイヤーにあれば、ユーザの現在位置を表示端末に表示することができる。簡易に、表示端末のＧＰＳ機能を用いて現在位置を表示することができる。 また、本願に係る画像表示の制御方法は、前記データベースは、前記所定位置あるいは前記所定領域ごとに色調コードが異なるエリア色調コードを割り当てる第１対応テーブルを更に備え、前記入力のステップにおいて、前記特定情報は前記表示端末の現在位置を示す近距離無線通信機から発せられる識別情報であり、前記抽出のステップは、前記第１対応テーブルより、前記識別情報に関連付けられる前記所定位置あるいは前記所定領域に割り当てられている前記エリア色調コードを前記対応する色調コードとして抽出し、前記表示のステップは、前記配置色調コードに対応する前記所定位置あるいは前記所定領域を前記表示端末の現在位置として表示する。
ユーザが操作する表示端末の受信機能を用いて近距離無線通信機からの識別情報を受信する。第１対応テーブルから受信した識別情報が割り当てられたエリア色調コードを検索し、該当されたエリア色調コードが色調コードレイヤーにあれば、ユーザの現在位置を表示端末に表示することができる。簡易に、表示端末の受信機能を用いて現在位置を表示することができる。 また、本願に係る画像表示端末は、前記データベースは、表示対象物ごとに色調コードが異なる対象物色調コードを割り当てる第２対応テーブルを更に備え、前記入力のステップにおいて、前記特定情報は前記表示対象物であり、前記抽出のステップは、前記第２対応テーブルより、前記表示対象物に割り当てられている前記対象物色調コードを前記対応する色調コードとして抽出し、前記表示のステップは、前記配置色調コードに対応する前記所定位置あるいは前記所定領域を前記表示対象物の位置として表示する。
例えば、表示端末に表示される画像情報が地図情報である場合、予め、空港や温泉など表示対象物ごとに色調コードが異なる対象物色調コードを割り当てる第２対応テーブルを備えたデータベースを利用すれば、表示末端を操作するユーザが任意の表示対象物、例えば、「空港」を選択すると第２対応テーブルで対応する色調コードが選択され、色調コードレイヤーに配置された当該色調コードを「空港」の位置として表示端末に表示することができる。
また、本願に係る画像表示端末は、前記データベースは、関連情報ごとに色調コードが異なる情報色調コードを割り当てる第３対応テーブルを更に備え、前記関連情報を表示する前記所定位置あるいは前記所定領域を指定するステップを有し、前記選択のステップは、前記指定のステップにより指定された前記所定位置あるいは前記所定領域に対応する前記配置色調コードを選択し、更に、前記選択のステップにより選択された前記配置色調コードと同コードの前記情報色調コードが前記第３対応テーブルにあるか否かの判断を行うステップを有し、前記表示のステップは、前記判断のステップにより同コードの前記情報色調コードがあると判断された場合、前記配置色調コードに対応する前記関連情報を前記表示端末に表示する。
色調コードレイヤーは、関連情報を表示する所定位置あるいは所定領域ごとに異なる色調コードの配置色調コードを格納しているため、所定位置あるいは所定領域を指定すると、指定された所定位置あるいは所定領域に対応する配置色調コードを抽出する。抽出された配置色調コードと同コードの情報色調コードがあれば、第３対応テーブルにより、同コードに対応する関連情報を選択して、表示端末に表示することができる。このような構成を有することにより、例えば、地図情報では、空港や温泉（所定位置あるいは所定領域）などを指定すると、指定した空港や温泉などに関連する例えば詳細な説明などの関連情報を簡易な操作で表示端末に表示することができる。 また、本願に係る画像表示端末は、前記色調コードレイヤーは、前記所定位置あるいは所定領域ごとに色調コードが異なる。
これにより、所定位置あるいは所定領域を色調コードを媒介として識別することができる。
また、本願に係る画像表示端末は、前記色調コードレイヤーは、前記表示画像レイヤーに格納されている画像情報の表示対象物ごとに色調コードが異なる。
これにより、表示される表示対象物を色調コードを媒介として識別することができる。 また、本願に係る画像表示端末は、前記色調コードレイヤーは、関連情報ごとに色調コードが異なる。
これにより、所定位置あるいは所定領域ごとに色調コードを媒介して関連情報を関連付けることができる。
【符号の説明】
【００９８】
１００・・四国地図
１１０・・第１制御色レイヤー
１２０・・第１制御色パレット
１３０・・四国地図の白地図
１５０・・四国地図データベース
１８０・・データベース構築部
１９０・・端末
２００・・道路地図
２１０・・第２制御色レイヤー
２２０・・第２制御色パレット
２３０・・道路イラスト図
２５０・・道路地図データベース
２４０・・人工衛星
３００・・館内イラストマップ
３１０・・第３制御色レイヤー
３２０・・第３制御色パレット
３３０・・展示館内実空間
３５０・・館内マップデータベース
【手続補正２】
【補正対象書類名】特許請求の範囲
【補正対象項目名】全文
【補正方法】変更
【補正の内容】
【特許請求の範囲】
【請求項１】
経緯度情報を含む地図情報あるいは経緯度情報が捨象された事物間の相対的な位置関係を示す相対位置情報を表示する地図情報表示装置であって、
前記地図情報あるいは前記相対位置情報を表示する表示端末と、
前記表示端末に前記地図情報あるいは前記相対位置情報を表示する際に参照される地図情報データベースと、
制御部とを備え、
前記地図情報データベースは、
前記地図情報あるいは前記相対位置情報を格納する地図情報レイヤーと、
前記地図画像レイヤーに格納されている前記地図情報あるいは前記相対位置情報が前記表示端末に表示された際の該地図情報あるいは該相対位置情報の所定位置あるいは所定領域に対応する前記表示端末上のピクセルに対して割り当てられる色調コードであって、前記表示端末に表示される前記地図情報あるいは前記相対位置情報の色調を定義する色調コードとは別途に定義され表示属性には供しない配置色調コードを格納する配置色調コードレイヤーと、
前記所定位置あるいは前記所定領域に係わる属性情報と、前記所定位置あるいは前記所定領域に対応する前記配置色調コードとを関連付ける関連付け情報とを備え、
前記制御部は、
前記属性情報を受け付ける第１入力処理と、
前記地図情報データベースに備えられている前記関連付け情報により、前記属性情報に関連付けられている前記配置色調コードを抽出する第１抽出処理と、
前記地図情報データベースに備えられている前記配置色調コードレイヤーにより、前記第１抽出処理により抽出された前記配置色調コードが割り当てられているピクセルに対応する前記所定位置あるいは前記所定領域を抽出する第２抽出処理と、
前記第２抽出処理により抽出された前記所定位置あるいは前記所定領域を、前記属性情報に対応して前記表示端末に表示する第１表示処理とを実行することを特徴とする地図情報表示装置。
【請求項２】
前記配置色調コードレイヤーに格納されている前記配置色調コードは、前記所定領域ごとに色調コードが異なるエリア色調コードであり、
前記属性情報は、前記表示端末の現在位置を示す識別情報であり、
前記関連付け情報は、前記識別情報を、該識別情報に対応する前記所定領域に配置されている前記エリア色調コードに関連付け、
前記第１表示処理は、前記識別情報に対応する前記所定領域内の基準位置を、前記表示端末の現在位置として前記表示端末に表示することを特徴とする請求項１に記載の地図情報表示装置。
【請求項３】
前記識別情報は、衛星測位システムから得られる前記表示端末の現在位置情報であることを特徴とする請求項２に記載の地図情報表示装置。
【請求項４】
前記配置色調コードレイヤーに格納されている前記配置色調コードは、前記所定位置あるいは前記所定領域にある事物のうち、共通属性を有する事物ごとに色調コードが異なる共通事物色調コードであり、
前記属性情報は、事物情報であり、
前記関連付け情報は、前記事物情報を、該事物情報の有する属性と共通する前記共通属性を有する事物に割り当てられている前記共通事物色調コードに関連付け、
前記第１表示処理は、前記事物情報に対応する前記共通属性を有する事物を、前記表示端末に表示することを特徴とする請求項１に記載の地図情報表示装置。
【請求項５】
経緯度情報を含む地図情報あるいは経緯度情報が捨象された事物間の相対的な位置関係を示す相対位置情報を表示する地図情報表示装置であって、
前記地図情報あるいは前記相対位置情報を表示する表示端末と、
前記表示端末に前記地図情報あるいは前記相対位置情報を表示する際に参照される地図情報データベースと、
制御部とを備え、
前記地図情報データベースは、
前記地図情報あるいは前記相対位置情報を格納する地図情報レイヤーと、
前記地図画像レイヤーに格納されている前記地図情報あるいは前記相対位置情報が前記表示端末に表示された際の該地図情報あるいは該相対位置情報の所定位置あるいは所定領域に対応する前記表示端末上のピクセルに対して割り当てられる色調コードであって、前記表示端末に表示される前記地図情報あるいは前記相対位置情報の色調を定義する色調コードとは別途に定義され表示属性には供しない配置色調コードを格納する配置色調コードレイヤーと、
前記所定位置あるいは前記所定領域に係わる属性情報と、前記所定位置あるいは前記所定領域に対応する前記配置色調コードとを関連付ける関連付け情報とを備え、
前記制御部は、
前記所定位置あるいは前記所定領域を受け付ける第２入力処理と、
前記地図情報データベースに備えられている前記配置色調コードレイヤーにより、前記所定位置あるいは前記所定領域に対応するピクセルに割り当てられている前記配置色調コードを抽出する第３抽出処理と、
前記地図情報データベースに備えられている前記関連付け情報により、前記第３抽出処理により抽出された前記配置色調コードに関連付けられている前記属性情報を抽出する第４抽出処理と、
前記第４抽出処理により抽出された前記属性情報を、前記所定位置あるいは前記所定領域に対応して前記表示端末に表示する第２表示処理とを実行することを特徴とする地図情報表示装置。
【請求項６】
前記配置色調コードレイヤーに格納されている前記配置色調コードは、前記所定位置あるいは前記所定領域にある事物ごとに割り当てられた事物色調コードであり、
前記属性情報は、前記事物に関する関連情報であり、
前記関連付け情報は、前記事物色調コードを、該事物色調コードに割り当てられた事物に関連する前記関連情報に関連付け、
前記第２表示処理は、前記所定位置あるいは前記所定領域にある事物に対応する前記関連情報を、前記表示端末に表示することを特徴とする請求項５に記載の地図情報表示装置。
【請求項７】
表示端末と、制御部とを備え、前記表示端末に、経緯度情報を含む地図情報あるいは経緯度情報が捨象された事物間の相対的な位置関係を示す相対位置情報を表示する際に用いられる地図情報データ構造であって、
前記地図情報あるいは前記相対位置情報を格納する地図情報レイヤーと、
前記地図画像レイヤーに格納されている前記地図情報あるいは前記相対位置情報が前記表示端末に表示された際の該地図情報あるいは該相対位置情報の所定位置あるいは所定領域に対応する前記表示端末上のピクセルに対して割り当てられる色調コードであって、前記表示端末に表示される前記地図情報あるいは前記相対位置情報の色調を定義する色調コードとは別途に定義され表示属性には供しない配置色調コードを格納する配置色調コードレイヤーと、
前記所定位置あるいは前記所定領域に係わる属性情報と、前記所定位置あるいは前記所定領域に対応する前記配置色調コードとを関連付ける関連付け情報とを備え、
前記制御部による、
前記属性情報を受け付ける第１入力処理と、
前記関連付け情報により、前記属性情報に関連付けられている前記配置色調コードを抽出する第１抽出処理と、
前記配置色調コードレイヤーにより、前記第１抽出処理により抽出された前記配置色調コードが割り当てられているピクセルに対応する前記所定位置あるいは前記所定領域を抽出する第２抽出処理と、
前記第２抽出処理により抽出された前記所定位置あるいは前記所定領域を、前記属性情報に対応して前記表示端末に表示する第１表示処理とに用いられることを特徴とする地図情報データ構造。
【請求項８】
表示端末と、制御部とを備え、前記表示端末に、経緯度情報を含む地図情報あるいは経緯度情報が捨象された事物間の相対的な位置関係を示す相対位置情報を表示する際に用いられる地図情報データ構造であって、
前記地図情報あるいは前記相対位置情報を格納する地図情報レイヤーと、
前記地図画像レイヤーに格納されている前記地図情報あるいは前記相対位置情報が前記表示端末に表示された際の該地図情報あるいは該相対位置情報の所定位置あるいは所定領域に対応する前記表示端末上のピクセルに対して割り当てられる色調コードであって、前記表示端末に表示される前記地図情報あるいは前記相対位置情報の色調を定義する色調コードとは別途に定義され表示属性には供しない配置色調コードを格納する配置色調コードレイヤーと、
前記所定位置あるいは前記所定領域に係わる属性情報と、前記所定位置あるいは前記所定領域に対応する前記配置色調コードとを関連付ける関連付け情報とを備え、
前記制御部による、
前記所定位置あるいは前記所定領域を受け付ける第２入力処理と、
前記配置色調コードレイヤーにより、前記所定位置あるいは前記所定領域に対応するピクセルに割り当てられている前記配置色調コードを抽出する第３抽出処理と、
前記関連付け情報により、前記第３抽出処理により抽出された前記配置色調コードに関連付けられている前記属性情報を抽出する第４抽出処理と、
前記第４抽出処理により抽出された前記属性情報を、前記所定位置あるいは前記所定領域に対応して前記表示端末に表示する第２表示処理とに用いられることを特徴とする地図情報データ構造。
【手続補正書】
【提出日】平成28年11月25日(2016.11.25)
【手続補正１】
【補正対象書類名】明細書
【補正対象項目名】全文
【補正方法】変更
【補正の内容】
【発明の詳細な説明】
【技術分野】
【０００１】
本発明は、表示画面を構成する画素の色調コードに情報を関連付け、色調コードで情報を制御する地図情報表示装置、および地図情報データ構造に関する。
【背景技術】
【０００２】
従来から地物／設備の位置形状情報とその属性情報とを関連付けて管理できる地図設備図面情報管理システムを構築する方法が、例えば、特許文献１に開示されている。すなわち、地物／設備の位置形状に関する情報を全てベクトル化して管理していた従来のシステムに対して、特許文献１では地図や設備図面等から得たデジタルイメージデータと代表座標点の座標データにより地物／設備の位置形状に関する情報を管理するイメージ化方式により管理し、かつ検索を容易にすることができるとしている。
【先行技術文献】
【特許文献】
【０００３】
【特許文献１】特開平６−２７４１０２号公報
【発明の開示】
【発明が解決しようとする課題】
【０００４】
特許文献１に開示された地図設備図面情報管理システムは、地図や設備図面等から得たデジタルイメージデータに対して、個々に代表座標点の座標データを入力するものである。そのため、デジタルイメージデータ毎に座標データを算出して入力する必要があり、座標データの入力作業が煩雑であるという問題がある。
【０００５】
本発明は前記従来の問題点を解消するためになされたものであり、座標データやイラスト図上の指定位置と色調コード（本発明では「制御色」と言う）とを関連付けて、簡易に画面表示用のデータベースを構築でき、かつ、構築したデータベースを用いて多様なサービスを提供することができる地図情報表示装置、および地図情報データ構造を提供することを目的とする。
【課題を解決するための手段】
【０００６】
前記目的を達成するため請求項１に係る地図情報表示装置は、経緯度情報を含む地図情報あるいは経緯度情報が捨象された事物間の相対的な位置関係を示す相対位置情報を表示する地図情報表示装置である。地図情報あるいは相対位置情報を表示する表示端末と、表示端末に地図情報あるいは相対位置情報を表示する際に参照される地図情報データベースと、制御部とを備える。地図情報データベースは、地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部は、属性情報を受け付ける第１入力処理と、地図情報データベースに備えられている関連付け情報により、属性情報に関連付けられている配置色調コードを抽出する第１抽出処理と、地図情報データベースに備えられている配置色調コードレイヤーにより、第１抽出処理により抽出された配置色調コードが割り当てられているピクセルに対応する所定位置あるいは所定領域を抽出する第２抽出処理と、第２抽出処理により抽出された所定位置あるいは所定領域を、属性情報に対応して表示端末に表示する第１表示処理とを実行することを特徴とする。
【０００７】
また、請求項７に係る地図情報データ構造は、表示端末と、制御部とを備え、表示端末に、経緯度情報を含む地図情報あるいは経緯度情報が捨象された事物間の相対的な位置関係を示す相対位置情報を表示する際に用いられる地図情報データ構造である。地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部による、属性情報を受け付ける第１入力処理と、関連付け情報により、属性情報に関連付けられている配置色調コードを抽出する第１抽出処理と、配置色調コードレイヤーにより、第１抽出処理により抽出された配置色調コードが割り当てられているピクセルに対応する所定位置あるいは所定領域を抽出する第２抽出処理と、第２抽出処理により抽出された所定位置あるいは所定領域を、属性情報に対応して表示端末に表示する第１表示処理とに用いられることを特徴とする。
【０００８】
また、請求項５に係る地図情報表示装置は、経緯度情報を含む地図情報あるいは経緯度情報が捨象された事物間の相対的な位置関係を示す相対位置情報を表示する地図情報表示装置である。地図情報あるいは相対位置情報を表示する表示端末と、表示端末に地図情報あるいは相対位置情報を表示する際に参照される地図情報データベースと、制御部とを備える。地図情報データベースは、地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部は、所定位置あるいは所定領域を受け付ける第２入力処理と、地図情報データベースに備えられている配置色調コードレイヤーにより、所定位置あるいは所定領域に対応するピクセルに割り当てられている配置色調コードを抽出する第３抽出処理と、地図情報データベースに備えられている関連付け情報により、第３抽出処理により抽出された配置色調コードに関連付けられている属性情報を抽出する第４抽出処理と、第４抽出処理により抽出された属性情報を、所定位置あるいは所定領域に対応して表示端末に表示する第２表示処理とを実行することを特徴とする。
【０００９】
また、請求項８に係る地図情報データ構造は、表示端末と、制御部とを備え、表示端末に、経緯度情報を含む地図情報あるいは経緯度情報が捨象された事物間の相対的な位置関係を示す相対位置情報を表示する際に用いられる地図情報データ構造である。地図情報あるいは相対位置情報を格納する地図情報レイヤーと、地図画像レイヤーに格納されている地図情報あるいは相対位置情報が表示端末に表示された際の該地図情報あるいは該相対位置情報の所定位置あるいは所定領域に対応する表示端末上のピクセルに対して割り当てられる色調コードであって、表示端末に表示される地図情報あるいは相対位置情報の色調を定義する色調コードとは別途に定義され表示属性には供しない配置色調コードを格納する配置色調コードレイヤーと、所定位置あるいは所定領域に係わる属性情報と、所定位置あるいは所定領域に対応する配置色調コードとを関連付ける関連付け情報とを備える。制御部による、所定位置あるいは所定領域を受け付ける第２入力処理と、配置色調コードレイヤーにより、所定位置あるいは所定領域に対応するピクセルに割り当てられている配置色調コードを抽出する第３抽出処理と、関連付け情報により、第３抽出処理により抽出された配置色調コードに関連付けられている属性情報を抽出する第４抽出処理と、第４抽出処理により抽出された属性情報を、所定位置あるいは所定領域に対応して表示端末に表示する第２表示処理とに用いられることを特徴とする。
【００１０】
【００１１】
【００１２】
【００１３】
【００１４】
【００１５】
【発明の効果】
【００１６】
本願に係る地図情報表示装置、地図情報データ構造によれば、従来技術のような座標データの代わりに表示端末に非表示の色調コードを用いて、表示画像に対応する所定位置あるいは所定領域を特定することができる。これにより、表示画像の所定位置あるいは所定領域に属性を持たせるデータベースを簡易に構築することができる。そのため、様々な情報を色調コードに関連付けすることにより、色調コードに応じて、簡易に様々な情報を表示端末に表示することができる。
【００１７】
【００１８】
【００１９】
【００２０】
【００２１】
【００２２】
【００２３】
【００２４】
また、表示端末には非表示の色調コードを媒介として地図やイラスト地図など所定位置あるいは所定領域と情報との関連付を行うので、表示端末への情報の表示を簡易に行うことができる。例えば、緯度経度などで指定される実空間での座標位置を、実空間とは縮尺や形状などが無関係な任意の縮尺・形状を有するイラスト図に表示することができる。また、イラスト図の対象物を選択すれば対象物に関連する関連情報などを表示することができる。
【図面の簡単な説明】
【００２５】
【図１】本発明の実施形態に係るデータベース構築システムの全体構成図である。
【図２】本発明の第１の実施形態に係るデータベース構築を説明する図（その１）である。
【図３】本発明の第１の実施形態に係るデータベース構築を説明する図（その２）である。
【図４】図２および図３で示した制御色データベースを入力した端末において端末の表示部（モニタ）と制御色データベース（制御色レイヤー）の関係を示した図である。
【図５】本発明の第１の実施形態に係る端末の操作例を示した図である。
【図６】図２および図３で示した制御色データベースを構築する手順を示した図である。
【図７】図５で示した本発明の第１の実施形態に係る端末の操作例の操作手順を示した図である。
【図８】本発明の第２の実施形態に係るデータベース構築を説明する図である。
【図９】図８で示した制御色データベースを入力した端末において端末の表示部（モニタ）と制御色データベース（制御色レイヤー）の関係を示した図である。
【図１０】図８で示した制御色データベースを構築する手順を示した図である。
【図１１】図９で示した本発明の第２の実施形態に係る端末の操作例の操作手順を示した図である。
【図１２】本発明の第３の実施形態に係るデータベース構築を説明する図である。
【図１３】本発明の第３の実施形態に係る端末の操作例を示した図（その１）である。
【図１４】本発明の第３の実施形態に係る端末の操作例を示した図（その２）である。
【図１５】図１２で示した制御色データベースを構築する手順を示した図である。
【図１６】図１３および図１４で示した本発明の第３の実施形態に係る端末の操作例の操作手順を示した図である。
【発明を実施するための形態】
【００２６】
以下、本発明に係る実施形態について図面を参照して説明する。
まず、本実施形態に係るデータベース構築システムの構成について図１を参照して説明する。
【００２７】
図１は、本発明の実施形態に係るデータベース構築システムの全体構成を示す図である。地図や設備などの図面１６０をデジタル化手段１７０によりデジタルデータに変換する。デジタル化手段１７０は、例えば、スキャナーやデジタルカメラなどを採用することができる。図面１６０がデジタルデータである場合は、デジタル化手段１７０は必要ない。図面１６０の媒体に合わせて適宜デジタル化手段１７０を選択して利用すればよい。
【００２８】
デジタル化手段１７０によってデジタルデータに変換した図面１６０のデジタルデータはデータベース構築部１８０に入力されて内部のメモリに保存される。そして、データベース構築部１８０内のモニタやキーボード、マウス、タッチパネルなどを用いて、図面１６０のデータベースを構築する。ここで、データベース構築部１８０は、データベースをユーザに提供する情報提供者が有する。情報提供者とは、行政機関、観光業者、施設運営者などであり、それぞれの領域で情報発信したい地図や設備などをユーザに提供する主体である。
【００２９】
構築したデータベースはユーザが使用する端末１９０（例えば、タブレット型ＰＣやスマートフォンなど）に入力（ダウンロード）し、端末１９０を用いて、以下に説明する図面１６０のデータベースを用いた様々なサービスをユーザに提供することができるのである。データベースを構築する方法の詳細については、以下の実施例で説明するので省略する。
【００３０】
次に、上記データベース構築システムを用いた第１の実施例について図２から図７を参照して説明する。
【００３１】
第１の実施例は地図をデータベース化してユーザに種々のサービスを提供する。以下、説明では四国の地図を用いて説明するが、四国の地図は一実施例であって、これに限定されるものではなく、他の地域、例えば北海道や東北、関東など国内の地図であってもよいし、米国や中国など海外の地図であってもよい。
【００３２】
まず、図２および図３、図６を参照してデータベースの構築方法について説明する。図２および図３はデータベース構築を説明する図であり、図６はデータベース構築者が行う手順のフローを説明する図である。
【００３３】
ステップＳ１００では、データベース構築部１８０にユーザが用いる端末１９０の情報を入力する。ここで、入力する情報は端末１９０のモニタの画素サイズ（○△ピクセル×□▲ピクセル）や階調（ＲＧＢ又はグレースケール）などである。より具体的には、画素サイズ例：４８０ピクセル×２４０ピクセル、階調例：グレースケール（１６階調）など端末１９０のモニタの仕様を入力する。
【００３４】
ステップＳ１０２では、データベースを構築する地図を選択する。データベース構築部１８０内のメモリには、上記のように様々な地図のデジタルデータが保存されている。そこで、データベース構築部１８０内のモニタやキーボードなどを用いてデータベースを構築する地図を選択する。尚、本実施例では四国地図を選択する。もし、四国地図の情報が存在していない場合や足りない情報などがある場合はステップＳ１０４において、デジタル化手段１７０により図面１６０をデジタル化し、あるいはデジタルデータである図面１６０を入手する。
【００３５】
ステップＳ１０６では、データベース構築部１８０内のモニタに四国地図１００と第１制御色パレット１２０が表示される（図２参照）。第１制御色パレット１２０には、「空港」や「ホテル」、「温泉」などの分類名と共に分類名毎に異なる色調の制御色が配置されている。ここで、制御色とは、地図上の対象物である分類を識別するために分類ごとに固有の色調コードで定義された識別子である。分類ごとに地図上に存在する位置に対応してピクセル単位で定義されるものである。分類ごとに地図上の位置を定義し、更には分類ごとの情報を関連付けるための識別子としての役割を有するものであり、ユーザの端末１９０に表示される色調情報とは別途定義され、端末１９０には色調情報として表示されるものではない。
【００３６】
ステップ１０８では、第１制御色パレット１２０から分類名（制御色）を選択する。選択する方法は、図２の図中の（１）に示すように矢印カーソルをマウスまたはキーボードで選択する分類名の制御色の位置に移動させてマウスをクリックするか、キーボードのリターンキーを押すなどして選択する。選択する方法はこれに限定するものではなく、タッチパネルを用いて、選択する分類名の制御色の位置を直接タップして選択してもよい。
【００３７】
ステップＳ１１０では、モニタに表示されている四国地図１００に対してステップＳ１０８で選択した分類名に関連付ける位置（ポイント）を指定する。例えば、図２の図中の（１）で「空港」の制御色が指定された場合には、図２の図中の（２）で四国地図１００にある「空港」の位置を指定していく。これにより、四国地図１００における「空港」の位置に対応するピクセルに「空港」として定義される制御色が配置される。指定する方法は、ステップ１０８の分類名の選択時と同様、図２の図中の（２）に示すように矢印カーソルをマウスまたはキーボードで指定してマウスをクリックするか、キーボードのリターンキーを押すなどして指定する。ステップＳ１０８と同様、タッチパネルを用いて指定してもよい。
【００３８】
ステップＳ１１２で、四国地図１００についてデータ入力が終了したら（Ｙ）、ステップＳ１１４に進む。終了していない場合（Ｎ）はステップＳ１０８に戻り、分類名（制御色）の選択と四国地図１００上の位置の指定とを続ける。
【００３９】
ステップ１１４では、データベース入力を終了するか否かを判断する。例えば、四国地図１００のみで終了する場合（Ｙ）は、データベース入力が終了してデータベース構築が終了し、構築したデータベースはデータベース構築部１８０内のメモリに保存される。他の地図についても四国地図１００と同様にデータベースを構築する場合（Ｎ）は、ステップＳ１０４に戻って他の地図を選択して、四国地図１００の場合と同様にデータベースを構築する。
【００４０】
上記の方法で構築した四国地図１００のデータベースの一例を四国地図データベース１５０として図６の左側に示す。例えば、「空港」が位置するポイントには＃１００の色調コードが定義される。高知空港、松山空港など、データベース構築者が「空港」として指定する位置に＃１００の色調コードが定義される。同様に、「温泉」が位置するポイントには＃１２０の色調コードが定義される。塩江温泉、道後温泉など、データベース構築者が「温泉」として指定する位置に＃１２０の色調コードが定義される。ここで、＃１００や＃１２０は色調コードを簡略して示したものである。本来の色調コードでは、例えば、ＲＧＢの３原色が各々８ビットで構成される場合、２４ビットの色調コードで識別されることとなる。この場合、総数で１６００万（２の２４乗）通りの識別が可能である。尚、本実施例では、＃１００や＃１２０の色調コードと制御色とは同意として扱う。そして、上記のように、各ピクセルに制御色を定義して制御色レイヤー（本実施例では第１制御色レイヤー１１０）が作成される。
【００４１】
図３は上記の操作で構築したデータベースの一例を示した第１制御色レイヤー１１０である。第１制御色レイヤー１１０は、上記ステップＳ１００で入力した端末１９０のモニタの画素サイズ（縦ピクセル数×横ピクセル数）に合わせて、縦と横とを格子状に区画されたピクセル毎に制御色が定義される。ここで、ピクセルは端末１９０を構成するモニタの１つの画素を示す。便宜上、図３に示すように、第１制御色レイヤー１１０の最左上のピクセルをＰｉｘ（０，０）とし、最右下のピクセルをＰｉｘ（ｎ（Ｍａｘ．），ｍ（Ｍａｘ．））として座標表記することにする。そして、任意のピクセルをＰｉｘ（ｎ，ｍ）と座標表記する。ここで、ｎは横方向、ｍは縦方向の位置を示す。
【００４２】
図３に示すように、四国地図１００を参照して入力した「空港」や「ホテル」、「温泉」などの位置に相当するピクセルに各分類の制御色が定義される。このように各ピクセル（各画素）に制御色を定義することにより、簡易に地図上の情報（本実施例では、「空港」や「ホテル」、「温泉」などの位置）をデータベース化することができる。
【００４３】
図４は、端末１９０のモニタに表示される四国地図の白地図１３０と図３で示した第１制御色レイヤー１１０の関係を示したものである。端末１９０には、第１制御色レイヤー１１０が位置合わせして重ねられた白地図の四国地図１３０が表示される。端末１９０に表示されるのは、白地図の四国地図１３０であり第１制御色レイヤー１１０は非表示とされる。
【００４４】
次に、第１の実施例におけるユーザによる端末１９０への地図情報表示の操作手順について図５および図７を参照して説明する。図５は、第１の実施例における端末１９０のモニタに表示される四国地図の白地図１３０上に表示される情報の例を示した図であり、図７は端末１９０の操作手順のフローを示した図である。尚、図５および図７に示した操作は一例であり、これに限定されるものではなく、他の操作手順や操作方法を採用可能であることは言うまでもない。
【００４５】
ステップＳ１２０では、上記データベース構築部１８０で構築されたデータベースを入力する。端末１９０のモニタには図示しない選択画面が表示される。ステップ１２２では、端末１９０のモニタに表示された選択画面（不図示）から表示したい地図を選択する。本実施例では、「四国地図」を選択する。地図の選択が終了すると、ステップ１２４では、選択された地図、本実施例では四国地図の白地図１３０が図５の（Ａ）に例示するように端末１９０のモニタに表示される。そして、四国地図の白地図１３０の右下には分類名が列記されて表示される。
【００４６】
ステップＳ１２６では、端末１９０のモニタに表示された四国地図の白地図１３０において、表示したい分類名が表記されている部分に、マウスなどを操作して矢印カーソルを移動して、マウスのクリックボタンやキーボードなどを用いて指定する。本実施例では、図５の（Ａ）のように「空港」を指定する。
【００４７】
ステップＳ１２６で「空港」を指定すると、ステップＳ１２８では、第１制御色レイヤー１１０から、「空港」の色調コードである「＃１００」が定義されているピクセルの位置を検出する。
【００４８】
ステップＳ１３０では、ステップＳ１２８で検出した第１制御色レイヤー１１０のピクセル位置に対応する四国地図の白地図１３０の位置（端末１９０のモニタのピクセル位置）に図５の（Ａ）のようにピン表示する。四国地図の白地図１３０と第１制御色レイヤー１１０とは位置合わせがされているので、第１制御色レイヤー１１０を用いてユーザが知りたい情報を制御色で関連付けることにより、簡易に端末１９０のモニタに表示されている四国地図の白地図１３０に位置情報を表示制御できるのである。
【００４９】
ステップＳ１３２で、別の分類名をピン表示させたい場合（Ｙ）は、ステップＳ１３６に進み表示をリセットして、ステップＳ１２６に戻り、端末１９０のモニタに表示される矢印カーソルで別の分類名を指定する。別の分類名をピン表示しない場合は、ステップＳ１３４に進み、端末１９０の操作を終了するか判断する。操作を続ける場合（Ｎ）は、ステップＳ１３６に進み、端末１９０のモニタの表示がリセットされてピン表示などが消去され、ステップＳ１２６に戻る。端末１９０の操作を終了する場合（Ｙ）は、端末１９０の電源をＯＦＦにするなどして操作を終了する。
【００５０】
上記説明では、端末１９０のモニタに表示される矢印カーソルをマウスなどで操作して指定したが、端末１９０のモニタがタッチパネル機能を有していれば、タッチパネルで直接タップして上記の選択操作や指定操作を実施してもよい。
【００５１】
また、データベースの構築の際（図６）、分類ごとに特定の範囲の色調コードを有する制御色としながら同じ分類に属する個々の対象には異なる制御色を定義し、制御色ごとに固有の関連情報を関連付けるデータベースを構築することも可能である。これにより、分類ごとに白地図に情報表示できると共に、個々の対象ごとに固有の情報を表示することができる。例えば、指定した分類名（「空港」）に応じて、四国地図の白地図１３０に全ての「空港」の位置をピン表示しながら、特定のピン表示の１つを指定して、図５の（Ｂ）図中の（１）に示すように「空港」名「松山空港」を表示することができる。また、特定のピン表示の１つを指定した後に図５の（Ｂ）図中の（２）に示すように、他の分類名「温泉」を指定すると、指定したピン表示（実施例では「松山空港」）に一番近い「温泉」を表示することも可能である。つまり、操作方法や表示方法は、図５や図７のモニタ表示や操作フローに限定されるものではない。例えば、複数の分類名を指定してもよいし、ピン表示についても、ピン表示に限定されることなく、他の表示方法を採用してもよい。
【００５２】
また、説明表示についても、図５の（Ｂ）では、端末１９０のモニタに指定した分類の名称のみを表示したが、データベースに詳細な説明を予め保存してあれば、詳細説明を表示することも可能である。さらに、端末１９０にスピーカーを備えている場合は、端末１９０のモニタでの表示の代わりに音声で説明することも可能である。つまり、図３に示した第１制御色レイヤー１１０のように、各ピクセルに予め所定の情報と関連付けられた制御色を定義することにより、簡易に端末１９０のためのデータベースが構築することができると共に、制御色に対して、いろんな情報を関連付けておくことができることから、端末１９０を操作するユーザに対して様々なサービスを提供することができるのである。
【００５３】
尚、制御色に各種の情報を関連付ける際、制御色の配置されたピクセルの位置情報（座標）も利用することもできる。例えば、データベースの構築の際（図６）、分類ごとに特定の色調コードを有する制御色を第１制御色レイヤー１１０に配置し、合わせて、制御色が配置されるピクセルの位置情報（座標）に関連付けて関連情報を関連付けることもできる。これにより、同じ分類には同じ制御色を定義しながら、この分類に属する個々の対象には固有のピクセルの位置情報（座標）が関連付けられるので、個々の対象ごとに固有の関連情報を関連付けるデータベースを構築することも可能である。このデータベースによっても、上記の例示と同様に、「松山空港」の表示や「松山空港」に一番近い「温泉」の表示を行うことができる。
【００５４】
次に、本発明に係るデータベース構築システムを用いた第２の実施例について図８から図１１を参照して説明する。
【００５５】
第２の実施例は地図上の位置と制御色とを関連付けてデータベース化しておき、ユーザの所有する端末１９０のＧＰＳ機能を利用してユーザの現在位置に対応して、観光地での観光用のイラスト地図に対して情報を提供する。
【００５６】
まず、図８および図１０を参照してデータベースの構築方法について説明する。図８はデータベース構築を説明する図であり、図１０はその手順を説明するフロー図である。    
【００５７】
ステップＳ２００では、第１の実施例と同様、データベース構築部１８０にユーザが用いる端末１９０の情報を入力する。詳細は既に上記で説明しているので、ここでは省略する。
【００５８】
ステップＳ２０２では、第１の実施例と同様、データベースを構築する地図を選択する。本実施例では、複数の神社が点在する観光地の実縮尺の道路地図２００を選択する。選択方法は第１の実施例と同様であるので、省略する。
【００５９】
ステップＳ２０４では、データベースを構築する道路地図２００のデジタルデータとデータベース構築部１８０内のモニタに表示される道路地図２００の最左上の点Ｐの緯度経度（緯度：□△、経度：○△）と最右下の点Ｑの緯度経度（緯度：△□、経度：×○）入力する（図８参照）。
【００６０】
ステップＳ２０６では、選択した道路地図２００と第２制御色パレット２２０が表示される（図８参照）。尚、第２制御色パレット２２０の色の配列は、ある基準に基づいて配置してもよいし、任意に配置してもよい。ユーザが操作しやすいように配置されていればよい。
【００６１】
ステップＳ２０８では、第２制御色パレット２２０から制御色を選択する。選択する方法は、第１の実施例と同様、図８の図中の（１）に示すように矢印カーソルをマウスまたはキーボードで選択する制御色の位置に移動させてマウスをクリックするか、キーボードのリターンキーを押すなどして選択する。
【００６２】
ステップＳ２１０では、モニタに表示されている道路地図２００に対してステップＳ２０８で選択した制御色に関連付ける位置（場所）を指定する（図８の図中の（２））。本実施例では、図８の道路地図２００の道路上のＡからＨの８つのポイントを指定するが、これら８つのポイントに限定するものではなく、さらに多くのポイントを設定してもよいし、道路以外のポイントを指定してもよい。指定方法は、第１の実施例と同様であるので、省略する。
【００６３】
ステップＳ２１０で各ポイント（ＡからＨ）を指定すると、ステップＳ２０４で入力したＰ点とＱ点の緯度経度の値から、道路地図２００上での各ポイントの緯度経度が算出され、図１０の右側に示した道路地図データベース２５０のように各ポイントの緯度経度を中心とした所定の円内（図８に示す点線の円内）にステップＳ２０８で指定した制御色（色調コード）が関連付けされる。図８に道路地図２００に関連付けられた座標制御色対応情報２０５を示す。座標制御色対応情報２０５は、緯度経度の座標上で道路地図２００に対応しており、ユーザの所有する端末１９０のＧＰＳ機能により測地される緯度経度を制御色に対応付けるものである。ここで、所定の円内とは、ユーザの現在位置が、略、各円の中心である各ポイントであることを示す領域を定義するものである。すなわち、ユーザの所有する端末１９０のＧＰＳ機能により測地される緯度経度情報が、この円内にあれば、ユーザの現在位置は、円の中心である各ポイントであると認識する。
【００６４】
なお、関連付けするデータは道路地図データベース２５０に記載した項目に限定されない。例えば、地名や各ポイントにおいて近くに目安となる郵便局や銀行、店舗などがあればそれらについても関連付けをしてデータベース内に保存してもよい。道路地図データベース２５０が構築されると、データベース構築部１８０内のメモリに保存される。
【００６５】
ステップＳ２１２で、道路地図２００のデータ入力が終了したら（Ｙ）、ステップＳ２１４に進む。終了していない場合（Ｎ）は、ステップＳ２０８に戻り、制御色の選択と道路地図２００上の位置の指定とを続ける。
【００６６】
ステップ２１４では、端末１９０のモニタに表示される道路イラスト図２３０に対応した第２制御色レイヤー２１０を作成する（図９）。図９には、道路イラスト図２３０に合わせて重ねられる第２制御色レイヤー２１０を示す。第２制御色レイヤー２１０は、第１の実施例の第１制御色レイヤー１１０と同様、ステップＳ２００で入力した端末（例えば、タブレット型ＰＣやスマートフォンなど）のモニタの画像サイズ（縦ピクセル数×横ピクセル数）に合わせて、縦と横とを格子状に区画されている。そして、道路イラスト図２３０上の各ポイント（Ａ〜Ｈ）に対応するピクセルに、道路地図データベース２５０に基づいて、各ポイント（Ａ〜Ｈ）に対応する制御色の色調コード（＃２００〜＃２７０）を配置して作成する。これにより、端末１９０のＧＰＳ機能により測地される緯度経度が、制御色を媒介として道路イラスト図２３０上の位置に関連付けられ、道路イラスト図２３０上でユーザの現在位置を確認することができる。作成した第２制御色レイヤー２１０はデータベース構築部１８０内のメモリに保存される。
【００６７】
ステップＳ２１４で第２制御色レイヤー２１０の作成が終了したら、ステップＳ２１６に進み、データベース入力を終了するか否かを判断する。例えば、道路地図２００のみで終了する場合（Ｙ）は、データベース入力が終了する。他の地図についても道路地図２００と同様にデータベースを構築する場合（Ｎ）は、ステップＳ２０２に戻って他の道路地図を選択して、道路地図２００の場合と同様にデータベースを構築する。
【００６８】
次に、第２の実施例におけるユーザによる端末１９０の操作手順について図９および図１１を参照して説明する。上記のように、図９は、第２の実施例における端末１９０のモニタに表示される道路地図２００の道路イラスト図２３０と第２制御色レイヤー２１０の関係を示した図であり、図１１は端末１９０の操作手順のフローを示した図である。尚、図９および図１１に示した操作は一例であり、これに限定されるものではなく、他の操作手順や操作方法を採用可能であることは言うまでもない。
【００６９】
ステップＳ２２０では、上記データベース構築部１８０で構築された道路地図データベース２５０および第２制御色レイヤー２１０を入力する。端末１９０のモニタには図示しない選択画面が表示される。ステップ２２２では、端末１９０のモニタに表示された選択画面から表示したいイラスト地図を選択する。本実施例では、「○△道路」の道路イラスト図２３０を選択する。イラスト地図の選択が終了すると、ステップ２２４では、選択された「○△道路」の道路地図２００に対応する道路イラスト図２３０が端末１９０のモニタに表示される。
【００７０】
ステップＳ２２６では、ユーザの所有する端末１９０のＧＰＳ機能により現在位置のＧＰＳ信号を受信する。ステップＳ２２８では、受信したＧＰＳ信号から現在位置の緯度経度を検出する。ステップＳ２３０では、道路地図データベース２５０を用いて、検出した緯度経度が何れかのポイント（Ａ〜Ｈ）を中心として指定されている所定の円内であるか否かが検出される。具体的には、図８に示すように、座標制御色対応情報２０５に基づいて、人工衛星２４０からのＧＰＳ信号による緯度経度に対応する制御色を検出する。検出した緯度経度が所定の円内であると検出されることに応じて、該円内に関連付けられた色調コードを検出する。所定の円内ではないと検出されると、関連付けられた色調コードがないので（Ｎ）、ステップＳ２２６に戻ってＧＰＳ信号を受信する。色調コードが検出できた場合（Ｙ）は、ステップＳ２３２で、検出した色調コードが配置されているピクセルを第２制御色レイヤー２１０から検出する。そして、ステップＳ２３４で、検出したピクセルに対応する道路イラスト図２３０の位置に現在位置を表示する（図９の多重円）。
【００７１】
現在位置の通知は、図９のように端末１９０のモニタに表示される道路イラスト図２３０に通知表示することに限定されない。例えば、端末１９０がスピーカー機能を有していれば、音声で通知することも可能である。
【００７２】
ステップＳ２３６で、操作を終了するかを判断する。他の道路地図を選択する場合（Ｎ）はステップＳ２３８に進み、端末１９０のモニタの表示をリセットしてステップＳ２２２に戻り、他の道路地図を選択する。端末１９０の操作を終了する場合（Ｙ）は、端末１９０の電源をＯＦＦにするなどして操作を終了する。
【００７３】
上記の第２制御色レイヤー２１０の例では、色調コードを各ポイントの中心位置のピクセルにのみ関連付けを実施したが、これに限定されない。例えば、データベースの構築（図１０）の際、座標制御色対応情報２０５において、各ポイントからの距離に応じて色調コードを順次変化させるデータベースを構築しておく。これに対応して、第２制御色レイヤー２１０において、座標制御色対応情報２０５で定義された色調コードに合わせて、道路イラスト図における各ポイントからの距離に応じて色調コードが順次変化する構成とすることもできる。これにより、現在位置を、より詳細に道路イラスト図２３０に表示することができる。
【００７４】
上記のように、ＧＰＳ信号から得られる緯度経度情報と色調コードとを関連付けた座標制御色対応情報２０５を準備し、更に、第２制御色レイヤー２１０を用いて色調コードと道路イラスト図との関連付を行うことにより、第２実施例に係るような端末１９０のＧＰＳ機能を用いたサービスが簡易にユーザに提供できるのである。すなわち、端末１９０を有するユーザの現在位置を、簡易に道路イラスト図２３０に表示することができる。緯度経度で指定される実空間での座標位置を、実空間とは縮尺や形状などが無関係である任意の縮尺・形状を有するイラスト図に表示することができる。
【００７５】
次に、本発明に係るデータベース構築システムを用いた第３の実施例について図１２から図１６を参照して説明する。
【００７６】
第３の実施例は博物館や水族館など展示館の館内イラストマップ地図をデータベース化し、展示館内のいろいろな位置に設置されているビーコン（所定のＩＤ信号を発信する近距離無線通信機）と端末１９０の受信機能を利用してユーザに種々のサービスを提供する。以下、説明では展示館の一例を用いて説明するが、本発明に係る第３の実施例は、これに限定されるものではなく、水族館や博物館などのその他の展示館やショッピングモールなどにおいても、以下に説明する方法や手順により実施可能である。
【００７７】
まず、図１２および図１５を参照してデータベースの構築方法について説明する。図１２の上図はデータベースの構築方法を説明する図であり、図１２の下図は構築したデータベースに基づいて作成した制御色レイヤー（第３制御色レイヤー３１０）を示す図である。図１５はそれらの手順を説明するフロー図である。
【００７８】
ステップＳ３００では、第１の実施例や第２の実施例と同様、データベース構築部１８０にユーザが用いる端末１９０の情報を入力する。詳細は既に上記で説明しているので、ここでは省略する。
【００７９】
ステップＳ３０２では、第１の実施例や第２の実施例と同様、データベースを構築する展示館のイラスト地図を選択する。上記で説明したように、データベース構築部１８０内のメモリには、様々な地図のデジタルデータが保存されている。そこで、データベース構築部１８０内のモニタやキーボードなどを用いてデータベースを構築するイラスト地図を選択する。尚、本実施例では、展示館の館内イラストマップ３００を選択する。もし、展示館の館内イラストマップ３００の情報が存在していない場合や足りない情報などがある場合はステップＳ３０４において、デジタル化手段１７０により図面１６０をデジタル化し、あるいはデジタルデータである図面１６０を入手する。
【００８０】
ステップＳ３０６では、データベース構築部１８０内のモニタに館内イラストマップ３００と第３制御色パレット３２０が表示される（図１２の上図参照）。尚、第３制御色パレット３２０の色の配列は、第２制御色パレット２２０と同様、ある基準に基づいて配置してもよいし、任意に配置してもよい。ユーザが操作しやすいように配置されていればよい。
【００８１】
ステップＳ３０８では、第３制御色パレット３２０から制御色を選択する。選択する方法は、第１の実施例や第２の実施例と同様、図１２の上図の図中の（１）に示すように矢印カーソルをマウスまたはキーボードで選択する制御色の位置に移動させてマウスをクリックするか、キーボードのリターンキーを押すなどして選択する。
【００８２】
ステップＳ３１０では、モニタに表示されている館内イラストマップ３００に対してステップＳ３０８で選択した制御色に関連付ける位置（場所）を領域指定する（図１２の上図の図中の（２））。本実施例では、図１２の館内イラストマップ３００内のＡからＨの８つの領域ポイント（通路（Ａ、Ｄ、Ｅ）、展示Ａ（Ｂ）、展示Ｂ（Ｃ）、カフェテリア（Ｆ）、トイレ（Ｇ）、エレベータ（Ｈ）など）を指定するが、これら８つの領域ポイントに限定するものではなく、さらに詳細に設定してもよい。指定方法は、第１の実施例や第２の実施例と同様であるので、省略する。
【００８３】
ステップＳ３１０で、各領域ポイント（ＡからＨ）を指定すると、図１５の左側に示した館内マップデータベース３５０のように各領域ポイント（ＡからＨ）に対して制御色（色調コード）が関連付けされる。指定した領域ポイントを示す場所にビーコンが設置されている場合は、各ビーコンが発信するＩＤ信号（△□、▲○、◇△など）を各領域ポイントに関連付けされた制御色に対して関連付けする（館内マップデータベース３５０参照）。
【００８４】
尚、関連付けするデータは館内マップデータベース３５０に記載した項目に限定されない。例えば、展示Ａ（Ｂ）や展示Ｂ（Ｃ）については、制御色に加えてその展示の説明を、また、カフェテリア（Ｆ）には、制御色に加えてメニュー内容などを関連付けしてデータベース内に保存してもよい。館内マップデータベース３５０が構築されると、データベース構築部１８０内のメモリに保存される。
【００８５】
ステップＳ３１２で、館内イラストマップ３００のデータ入力が終了したら（Ｙ）、ステップＳ３１４に進む。終了していない場合（Ｎ）は、ステップＳ３０８に戻り、制御色の選択と館内イラストマップ３００上の領域ポイントの指定、および関連情報との関連付けを続ける。
【００８６】
ステップ３１４では、端末１９０のモニタに表示される館内イラストマップ３００に対応した第３制御色レイヤー３１０を作成する（図１２の下図）。図１２の下図には、館内イラストマップ３００に合わせて重ねられる第３制御色レイヤー３１０を示す。第３制御色レイヤー３１０は、第１の実施例の第１制御色レイヤー１１０や第２の実施例の第２制御色レイヤー２１０と同様、ステップＳ３００で入力した端末１９０（例えば、タブレット型ＰＣやスマートフォンなど）のモニタの画像サイズ（縦ピクセル数×横ピクセル数）に合わせて、縦と横とを格子状に区画されている。そして、館内イラストマップ３００上の各領域ポイント（Ａ〜Ｈ）に対応するピクセルあるいはピクセル群に、館内マップデータベース３５０に基づいて、各領域ポイント（Ａ〜Ｈ）に対応する制御色の色調コード（＃３００〜＃３７０）を配置して作成する。ここで、後述する現在位置やトイレ等の位置などを表示するための色調コードについては、所望の位置を特定できればよいので、色調コードはピクセル単位に対応すればよい。また、各展示等の説明情報を表示する際に展示領域をタップするなどする場合には、展示領域に対応するピクセル群に色調コードを配置することが便宜である。タップにより対象となる色調コードを確実に拾うことができるからである。これにより、図１３の上図に示す展示館内実空間３３０の各ポイントが、制御色を媒介として館内イラストマップ３００上に関連付けられ、館内イラストマップ３００上でユーザの現在位置を確認したり、各ポイントの説明を見ることができる。作成した第３制御色レイヤー３１０はデータベース構築部１８０内のメモリに保存される。
【００８７】
ステップＳ３１４で第３制御色レイヤー３１０の作成が終了したら、ステップＳ３１６に進み、データベース入力を終了するか否かを判断する。例えば、館内イラストマップ３００のみで終了する場合（Ｙ）は、データベース入力が終了する。例えば、他の階の館内マップ図についても館内イラストマップ３００と同様にデータベースを構築する場合（Ｎ）は、ステップＳ３０２に戻って他の階の地図を選択して、館内イラストマップ３００の場合と同様にデータベースを構築する。
【００８８】
次に、第３の実施例における端末１９０の操作手順について図１３、図１４および図１６を参照して説明する。図１３および図１４は、第３の実施例における端末１９０の操作の一例を説明する図であり、図１６は端末１９０の操作手順のフローを示した図である。尚、図１３、図１４および図１６に示した操作は一例であり、これに限定されるものではなく、他の操作手順や操作方法を採用可能であることは言うまでもない。
【００８９】
ステップＳ３２０では、上記データベース構築部１８０で構築された館内マップデータベース３５０を入力する。端末１９０のモニタには図示しない選択画面が表示される。ステップ３２２では、端末１９０のモニタに表示された選択画面から表示したい展示館内実空間３３０に対応するイラスト地図を選択する。本実施例では、展示館内実空間３３０として「館内―１Ｆ」を選択する。イラスト地図の選択が終了すると、ステップ３２４では、選択された「館内―１Ｆ」の展示館内実空間３３０に対応する館内イラストマップ３００が端末１９０のモニタに表示される（図１３の下図参照）。
【００９０】
ステップＳ３２６では、館内の各通路（Ａ、Ｄ、Ｅ）にビーコンＢ（近距離無線通信機）を設置しておき、ビーコンＢからのＩＤ信号（♯△□、♯▲○、♯◇△）を受信可能な状態に端末１９０を設定する。ステップＳ３２８でビーコンＢからのＩＤ信号を受信したら（Ｙ）、ステップＳ３３０に進む。もし、受信できなかったら（Ｎ）、ステップＳ３２６に戻りビーコンＢからのＩＤ信号を受信可能な状態にして、ビーコンＢからのＩＤ信号の受信を待つ。
【００９１】
図１３の上図は「館内―１Ｆ」の展示館内実空間３３０を示す。図１３の上図に示すように、各通路（Ａ、Ｄ、Ｅ）にはビーコンＢが設置され、各々異なるＩＤ信号（♯△□、♯▲○、♯◇△）を発信している。図１３の上図の図中の人型のイラストはユーザの位置を模式的に示している。例えば、図１３の上図のようにユーザがカフェテリア（Ｆ）前の通路（Ｅ）にいる場合、ステップＳ３２６で、ビーコンＢから発信するＩＤ信号（♯◇△）を受信すると、ステップＳ３３０で、受信したビーコンＢのＩＤ信号（♯◇△）に関連付けられた色調コード（♯３４０）を館内マップデータベース３５０から選択する。そして、ステップＳ３３２で、選択された色調コード（♯３４０）が配置されているピクセルを第３制御色レイヤー３１０から検索して、色調コード（♯３４０）が配置されているピクセルに対応する館内イラストマップ３００の通路（Ｅ）上に「★」マークを表示し、ユーザの現在位置を表示する（図１３の下図参照）。
【００９２】
また、端末１９０のタッチパネル機能を利用して、図１４の上図に示すように、端末１９０のモニタに表示された館内イラストマップ３００を指でタップして、説明情報を表示させたい対象を直接指定してもよい（ステップＳ３３６）。ユーザが端末１９０のモニタ上のタッチパネルで領域ポイントが指定されると、指定された領域ポイントに対応するピクセル群に関連付けされた色調コードを第３制御色レイヤー３１０から選択する。そして、ステップＳ３４０で、館内マップデータベース３５０に基づいて、選択した色調コードに関連付けられた領域ポイントの説明情報が選択され、図１４の下図に示すように、端末１９０のモニタに説明文が表示される。説明文は、上記のように端末１９０のモニタに表示してもよいし、また、端末１９０のスピーカー機能を用いて音声で説明してもよいし、モニタに表示しながら、音声での説明を併用してもよい。この場合、目と耳で説明が確認できるので、効果的である。
【００９３】
ステップＳ３３４で、操作を終了するかを判断する。他の階の地図を選択する場合（Ｎ）はステップＳ３４２に進み、端末１９０のモニタの表示をリセットしてステップＳ３２２に戻り、他の階の地図を選択する。端末１９０の操作を終了する場合（Ｙ）は、端末１９０の電源をＯＦＦにするなどして操作を終了する。
【００９４】
上記のように、第３制御色レイヤー３１０を用いて、館内に設置されたビーコンＢのＩＤ信号と色調コードとを関連付けたり、館内イラストマップ３００上の通路や展示などのポイントと色調コードとを関連付けすることにより、現在位置や展示物の説明文の表示ができる。この他にも、トイレやエレベータの場所の表示、カフェテリアのメニュー表示なども同様に表示することができ、館内見学における様々な便宜を提供することができる。実空間での座標位置を、実空間とは縮尺や形状などが無関係である任意の縮尺・形状を有するイラスト図に表示することができる。また、イラスト図の対象物を選択すれば対象物に関連する情報などを表示することができる。
【００９５】
上記のように、本発明にかかる実施形態に依れば、従来のように座標データの代わりに色調コードを用いることにより、簡易な方法で色調コードにいろんな情報を関連付けすることができる。そのため、関連付けられた色調コードにより端末１９０が有する表示画面（モニタ）やＧＰＳ機能、受信機能、音声機能などを制御することが可能になり、様々なサービスをユーザに提供することができるのである。例えば、緯度経度などで指定される実空間での座標位置に係わることなく、実空間とは縮尺や形状などが無関係である任意の縮尺・形状を有するイラスト図に様々な事物の位置や情報を表示することができる。また、イラスト図の対象物を選択すれば対象物に関連する情報などを表示することができる。
【００９６】
ここで、端末１９０は、表示端末の一例であり、四国地図の白地図１３０および道路イラスト図２３０、館内イラストマップ３００は、画像表示の一例であり、四国地図データベース１５０および道路地図データベース２５０、館内マップデータベース３５０は、データベースの一例であり、第１制御色レイヤー１１０および第２制御色レイヤー２１０、第３制御色レイヤー３１０は、色調コードレイヤーの一例である。
【００９７】
【符号の説明】
【００９８】
１００・・四国地図
１１０・・第１制御色レイヤー
１２０・・第１制御色パレット
１３０・・四国地図の白地図
１５０・・四国地図データベース
１８０・・データベース構築部１９０・・端末
２００・・道路地図
２１０・・第２制御色レイヤー
２２０・・第２制御色パレット
２３０・・道路イラスト図
２５０・・道路地図データベース
２４０・・人工衛星
３００・・館内イラストマップ
３１０・・第３制御色レイヤー
３２０・・第３制御色パレット
３３０・・展示館内実空間
３５０・・館内マップデータベース